(57)【要約】      （修正有）【課題】制御情報フォーマット処理方法および装置を提供する。【解決手段】方法は、ダウンリンク制御情報の制御情報フォーマットを決定するステップと、ダウンリンク制御情報をユーザ機器（ＵＥ）に送信するステップと、を含む。ダウンリンク制御情報の制御情報フォーマットを決定するステップでは、ダウンリンク制御情報の制御情報フォーマットが第１の制御情報フォーマットである場合は、第１の制御情報フォーマットに対応するダウンリンク制御情報に含まれる狭帯域内リソース割振りフィールドが有効な設定を示し、ダウンリンク制御情報の制御情報フォーマットが第２の制御情報フォーマットである場合は、第２の制御情報フォーマットに対応するダウンリンク制御情報に含まれる狭帯域内リソース割振りフィールドが無効な設定を示す。【選択図】図１
2020167707.tif 000002
【特許請求の範囲】
【請求項１】
制御情報フォーマット処理方法であって、
ダウンリンク制御情報の制御情報フォーマットを決定するステップであって、前記ダウンリンク制御情報の前記制御情報フォーマットが第1の制御情報フォーマットである場合、前記第1の制御情報フォーマットに対応する前記ダウンリンク制御情報に含まれる狭帯域内リソース割振りフィールドが有効な設定を示し、または前記ダウンリンク制御情報の前記制御情報フォーマットが第2の制御情報フォーマットである場合、前記第2の制御情報フォーマットに対応する前記ダウンリンク制御情報に含まれる狭帯域内リソース割振りフィールドが無効な設定を示す、ステップと、
前記ダウンリンク制御情報をユーザ機器（UE）に送信するステップと
を含む方法。
【請求項２】
前記第1の制御情報フォーマットに対応する前記ダウンリンク制御情報が、認可情報を搬送し、かつ／または
前記第2の制御情報フォーマットに対応する前記ダウンリンク制御情報が、制御チャネルコマンド情報を搬送する、請求項1に記載の方法。
【請求項３】
前記第1の制御情報フォーマットに対応する前記ダウンリンク制御情報に含まれる前記狭帯域内リソース割振りフィールドのビット位置が、前記第2の制御情報フォーマットに対応する前記ダウンリンク制御情報に含まれる前記狭帯域内リソース割振りフィールドのビット位置と同じである、請求項1または2に記載の方法。
【請求項４】
前記有効な設定が、有効なビット状態または有効な第1の情報インデックスを含み、
前記無効な設定が、無効なビット状態または無効な第1の情報インデックスを含み、
前記有効なビット状態が、有効な第1の情報または前記有効な第1の情報インデックスを示し、前記無効なビット状態が、無効な第1の情報または前記無効な第1の情報インデックスを示し、前記第1の情報インデックスが、前記第1の情報を示すために使用される、請求項1から3のいずれか一項に記載の方法。
【請求項５】
前記有効なビット状態が、1011、1100、1101、1110、および1111を除くすべての4ビット状態値のうちの状態値を含み、かつ／または
前記無効なビット状態が、1011、1100、1101、1110、もしくは1111のうちの少なくとも1つの状態値を含む、請求項4に記載の方法。
【請求項６】
制御情報フォーマット処理方法であって、
基地局からのダウンリンク制御情報を検出するステップであって、前記ダウンリンク制御情報が狭帯域内リソース割振りフィールドを含む、ステップと、
前記ダウンリンク制御情報に含まれる前記狭帯域内リソース割振りフィールドが有効な設定を示す場合、第1の制御情報フォーマットに従って前記ダウンリンク制御情報を取得するステップ、または
前記ダウンリンク制御情報に含まれる前記狭帯域内リソース割振りフィールドが無効な設定を示す場合、第2の制御情報フォーマットに従って前記ダウンリンク制御情報を取得するステップと
を含む方法。
【請求項７】
前記第1の制御情報フォーマットに対応する前記ダウンリンク制御情報が、認可情報を搬送し、かつ／または
前記第2の制御情報フォーマットに対応する前記ダウンリンク制御情報が、制御チャネルコマンド情報を搬送する、請求項6に記載の方法。
【請求項８】
前記第1の制御情報フォーマットに対応する前記ダウンリンク制御情報に含まれる前記狭帯域内リソース割振りフィールドのビット位置が、前記第2の制御情報フォーマットに対応する前記ダウンリンク制御情報に含まれる前記狭帯域内リソース割振りフィールドのビット位置と同じである、請求項6または7に記載の方法。
【請求項９】
前記有効な設定が、有効なビット状態または有効な第1の情報インデックスを含み、
前記無効な設定が、無効なビット状態または無効な第1の情報インデックスを含み、
前記有効なビット状態が、有効な第1の情報または前記有効な第1の情報インデックスを示し、前記無効なビット状態が、無効な第1の情報または前記無効な第1の情報インデックスを示し、前記第1の情報インデックスが、前記第1の情報を示すために使用される、請求項6から8のいずれか一項に記載の方法。
【請求項１０】
前記有効なビット状態が、1011、1100、1101、1110、および1111を除くすべての4ビット状態値のうちの状態値を含み、かつ／または
前記無効なビット状態が、1011、1100、1101、1110、もしくは1111のうちの少なくとも1つの状態値を含む、請求項9に記載の方法。
【請求項１１】
制御情報フォーマット処理装置であって、
ダウンリンク制御情報の制御情報フォーマットを決定するように構成された処理モジュールであって、前記ダウンリンク制御情報の前記制御情報フォーマットが第1の制御情報フォーマットである場合、前記第1の制御情報フォーマットに対応する前記ダウンリンク制御情報に含まれる狭帯域内リソース割振りフィールドが有効な設定を示し、または前記ダウンリンク制御情報の前記制御情報フォーマットが第2の制御情報フォーマットである場合、前記第2の制御情報フォーマットに対応する前記ダウンリンク制御情報に含まれる狭帯域内リソース割振りフィールドが無効な設定を示す、処理モジュールと、
前記ダウンリンク制御情報をユーザ機器（UE）に送信するように構成された送受信モジュールと
を備える装置。
【請求項１２】
前記第1の制御情報フォーマットに対応する前記ダウンリンク制御情報が、認可情報を搬送し、かつ／または
前記第2の制御情報フォーマットに対応する前記ダウンリンク制御情報が、制御チャネルコマンド情報を搬送する、請求項11に記載の装置。
【請求項１３】
前記第1の制御情報フォーマットに対応する前記ダウンリンク制御情報に含まれる前記狭帯域内リソース割振りフィールドのビット位置が、前記第2の制御情報フォーマットに対応する前記ダウンリンク制御情報に含まれる前記狭帯域内リソース割振りフィールドのビット位置と同じである、請求項11または12に記載の装置。
【請求項１４】
前記有効な設定が、有効なビット状態または有効な第1の情報インデックスを含み、
前記無効な設定が、無効なビット状態または無効な第1の情報インデックスを含み、
前記有効なビット状態が、有効な第1の情報または前記有効な第1の情報インデックスを示し、前記無効なビット状態が、無効な第1の情報または前記無効な第1の情報インデックスを示し、前記第1の情報インデックスが、前記第1の情報を示すために使用される、請求項11から13のいずれか一項に記載の装置。
【請求項１５】
前記有効なビット状態が、1011、1100、1101、1110、および1111を除くすべての4ビット状態値のうちの状態値を含み、かつ／または
前記無効なビット状態が、1011、1100、1101、1110、もしくは1111のうちの少なくとも1つの状態値を含む、請求項14に記載の装置。
【請求項１６】
制御情報フォーマット処理装置であって、
基地局からのダウンリンク制御情報を検出するように構成された処理モジュールであって、前記ダウンリンク制御情報が狭帯域内リソース割振りフィールドを含む、処理モジュール
を備え、
前記処理モジュールは、前記ダウンリンク制御情報に含まれる前記狭帯域内リソース割振りフィールドが有効な設定を示す場合、第1の制御情報フォーマットに従って前記ダウンリンク制御情報を取得するようにさらに構成されるか、または
前記処理モジュールは、前記ダウンリンク制御情報に含まれる前記狭帯域内リソース割振りフィールドが無効な設定を示す場合、第2の制御情報フォーマットに従って前記ダウンリンク制御情報を取得するようにさらに構成される、装置。
【請求項１７】
前記第1の制御情報フォーマットに対応する前記ダウンリンク制御情報が、認可情報を搬送し、かつ／または
前記第2の制御情報フォーマットに対応する前記ダウンリンク制御情報が、制御チャネルコマンド情報を搬送する、請求項16に記載の装置。
【請求項１８】
前記第1の制御情報フォーマットに対応する前記ダウンリンク制御情報に含まれる前記狭帯域内リソース割振りフィールドのビット位置が、前記第2の制御情報フォーマットに対応する前記ダウンリンク制御情報に含まれる前記狭帯域内リソース割振りフィールドのビット位置と同じである、請求項16または17に記載の装置。
【請求項１９】
前記有効な設定が、有効なビット状態または有効な第1の情報インデックスを含み、
前記無効な設定が、無効なビット状態または無効な第1の情報インデックスを含み、
前記有効なビット状態が、有効な第1の情報または前記有効な第1の情報インデックスを示し、前記無効なビット状態が、無効な第1の情報または前記無効な第1の情報インデックスを示し、前記第1の情報インデックスが、前記第1の情報を示すために使用される、請求項16から18のいずれか一項に記載の装置。
【請求項２０】
前記有効なビット状態が、1011、1100、1101、1110、および1111を除くすべての4ビット状態値のうちの状態値を含み、かつ／または
前記無効なビット状態が、1011、1100、1101、1110、もしくは1111のうちの少なくとも1つの状態値を含む、請求項19に記載の装置。
【請求項２１】
制御情報フォーマット処理装置であって、
ダウンリンク制御情報の制御情報フォーマットを決定するように構成されたプロセッサであって、前記ダウンリンク制御情報の前記制御情報フォーマットが第1の制御情報フォーマットである場合、前記第1の制御情報フォーマットに対応する前記ダウンリンク制御情報に含まれる狭帯域内リソース割振りフィールドが有効な設定を示し、または前記ダウンリンク制御情報の前記制御情報フォーマットが第2の制御情報フォーマットである場合、前記第2の制御情報フォーマットに対応する前記ダウンリンク制御情報に含まれる狭帯域内リソース割振りフィールドが無効な設定を示す、プロセッサと、
前記ダウンリンク制御情報をユーザ機器（UE）に送信するように構成された送信機と
を備える装置。
【請求項２２】
制御情報フォーマット処理装置であって、
受信機と、プロセッサとを備え、
前記プロセッサが、基地局からのダウンリンク制御情報を検出するように構成され、前記ダウンリンク制御情報が狭帯域内リソース割振りフィールドを含み、
前記プロセッサが、前記ダウンリンク制御情報に含まれる前記狭帯域内リソース割振りフィールドが有効な設定を示す場合、第1の制御情報フォーマットに従って前記ダウンリンク制御情報を取得し、または前記ダウンリンク制御情報に含まれる前記狭帯域内リソース割振りフィールドが無効な設定を示す場合、第2の制御情報フォーマットに従って前記ダウンリンク制御情報を取得するようにさらに構成される、装置。
【請求項２３】
コンピュータによって実行されたとき、請求項1から5のいずれか一項に記載の方法または請求項6から10のいずれか一項に記載の方法を前記コンピュータに実行させる命令を記録した、コンピュータ読み取り可能な記録媒体。
【請求項２４】
請求項1から5のいずれか一項に記載の方法または請求項6から10のいずれか一項に記載の方法をコンピュータに実行させるプログラム。
【発明の詳細な説明】
【技術分野】
【０００１】
本発明の実施形態は、通信技術の分野に関し、詳細には、制御情報フォーマット処理方法および装置に関する。
【背景技術】
【０００２】
制御チャネルはダウンリンク制御情報を搬送する。ダウンリンク制御情報は、制御チャネルコマンド情報を搬送するために使用されてもよい。たとえば、制御チャネルコマンド情報は、ランダムアクセスプリアンブルインデックス指示、ランダムアクセスチャネルプロファイルインデックス指示、またはランダムアクセスチャネルカバレージ拡張レベル指示のうちの1つまたは複数を含んでもよい。
【０００３】
ダウンリンク制御情報は、認可情報を搬送するためにさらに使用されてもよい。認可情報は、データを受信または送信するためにユーザ機器によって必要とされる制御情報を搬送する。ダウンリンクデータ送信を示すために使用されるダウンリンク制御情報は、ダウンリンク認可と呼ばれる場合がある。アップリンクデータ送信を示すために使用されるアップリンク制御情報は、アップリンク認可と呼ばれる場合がある。
【０００４】
ユーザ機器（英語のフルネーム：User Equipment、略してUE）によって実施される制御チャネルブラインド検出を増加させないために、認可情報を搬送する制御チャネルのペイロード（英語：payload）サイズ（たとえば、ビットの数）は、通常、制御チャネルコマンド情報を搬送する制御チャネルのペイロードサイズ（たとえば、ビットの数）と同じである。したがって、ダウンリンク制御情報がUE向けの認可情報を搬送するか、または制御チャネルコマンド情報を搬送するかを区別することが必要である。
【０００５】
従来技術では、ダウンリンク制御情報が制御チャネルコマンド情報を搬送するとき、通常、多くの予備ビットが存在する。予備ビットは、予約ビットまたはパディングビットであってもよい。予備ビットはまた、ダウンリンク制御情報が認可情報を搬送するときに有意のフィールドに含まれるすべてのビットと、ダウンリンク制御情報が制御チャネルコマンド情報を搬送するときに有意のフィールドに含まれるすべてのビットとの間の差異ビットであってもよい。有意のフィールドは、フィールドがダウンリンク制御情報において明確な物理的意味を有することを示す。有意のフィールドは、予約ビット、パディングビット、または予備ビットではない。ダウンリンク制御情報が負担する機能は、予備ビットを事前設定された値に設定することによって区別することができる。たとえば、ダウンリンク制御情報が制御チャネルコマンド情報を搬送する場合、30個の予備ビットが存在する。30個の予備ビットの状態は、固定ビット状態に設定されてもよい。したがって、ダウンリンク制御情報が認可情報を搬送するとき、ダウンリンク制御情報内の30個の予備ビットに対応するビット状態は、前述の固定ビット状態ではない。多くの予備ビットが存在するので、ダウンリンク制御情報が認可情報を搬送するとき、基地局は、ダウンリンク制御情報内の予備ビットに対応するビット状態を固定ビット状態以外の状態に柔軟に設定することが十分可能である。このようにして、ダウンリンク制御情報が認可情報を搬送するか、または制御チャネルコマンド情報を搬送するかは、予備ビットに対応するビット状態に従って区別することができる。
【発明の概要】
【課題を解決するための手段】
【０００６】
しかしながら、カバレージ拡張シナリオでは、ダウンリンク制御情報内にビットはほとんど存在しない。ダウンリンク制御情報が制御チャネルコマンド情報を搬送するとき、わずかな予備ビット（たとえば、ただ1つの予備ビット）しか存在しない。予備ビットを事前設定された値に設定することにより、ダウンリンク制御情報が負担する機能を区別することができない可能性が高い。たとえば、ダウンリンク制御情報が制御チャネルコマンド情報を搬送する場合、1つの予備ビットが存在する。従来技術によれば、1つの予備ビットに対応するビット状態は、固定ビット状態に設定されてもよい。ダウンリンク制御情報が認可情報を搬送するとき、1つの予備ビットに対応するビット状態が前述の固定ビット状態である可能性が高い。結果として、ユーザ機器により、制御チャネルが負担するコンテンツが誤って判定される可能性が高くなる。すなわち、カバレージ拡張シナリオでは、ダウンリンク制御情報が認可情報を搬送するか、または制御チャネルコマンド情報を搬送するかは、予備ビットに対応するビット状態に従って区別することができない。
【０００７】
本発明の実施形態は、制御情報フォーマット処理方法、基地局、およびユーザ機器を提供して、カバレージ拡張シナリオにおけるダウンリンク制御情報を効果的に区別する。
【０００８】
第1の態様によれば、本発明の一実施形態は、制御情報フォーマット処理方法を提供し、この方法は、
ダウンリンク制御情報の制御情報フォーマットを決定するステップと、
ダウンリンク制御情報の制御情報フォーマットが第1の制御情報フォーマットである場合、第1の制御情報フォーマットに対応するダウンリンク制御情報に含まれる第1のフィールドが有効な設定を示すと判断するか、または、ダウンリンク制御情報の制御情報フォーマットが第2の制御情報フォーマットである場合、第2の制御情報フォーマットに対応するダウンリンク制御情報に含まれる第2のフィールドが無効な設定を示すと判断するステップと、
決定された制御情報フォーマットに対応するダウンリンク制御情報をユーザ機器（UE）に送信するステップと
を含む。
【０００９】
第1の態様を参照して、第1の態様の第1の可能な実装形態では、
有効な設定は、有効なビット状態、または有効な第1の情報インデックス、または第1の情報インデックスと第2の情報との有効な組合せを含み、
無効な設定は、無効なビット状態、または無効な第1の情報インデックス、または第1の情報インデックスと第2の情報との無効な組合せを含み、
有効なビット状態は、有効な第1の情報または有効な第1の情報インデックスを示し、無効なビット状態は、無効な第1の情報または無効な第1の情報インデックスを示し、第1の情報インデックスは、第1の情報を示すために使用される。
【００１０】
第1の態様または第1の態様の第1の可能な実装形態を参照して、第1の態様の第2の可能な実装形態では、
第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【００１１】
第1の態様または第1の態様の第1もしくは第2の可能な実装形態を参照して、第1の態様の第3の可能な実装形態では、
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含み、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含む。
【００１２】
第1の態様の第1、第2、または第3の可能な実装形態を参照して、第1の態様の第4の可能な実装形態では、
第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むこと
を含み、
第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含む。
【００１３】
第1の態様の第1、第2、第3、または第4の可能な実装形態を参照して、第1の態様の第5の可能な実装形態では、
有効なビット状態は、1011、1100、1101、1110、および1111を除くすべての4ビット状態値のうちの状態値を含み、かつ／または
無効なビット状態は、1011、1100、1101、1110、もしくは1111のうちの少なくとも1つの状態値を含み、かつ／または
有効な第1の情報インデックスは、そのインデックス番号が0、1、2、3、4、5、6、7、8、9、もしくは10のうちの1つであるインデックスを含み、かつ／または
無効な第1の情報インデックスは、そのインデックス番号が11、12、13、14、もしくは15のうちの1つであるインデックスを含む。
【００１４】
第1の態様の第1、第2、第3、第4、または第5の可能な実装形態を参照して、第1の態様の第6の可能な実装形態では、第1の情報は、トランスポートブロックサイズもしくは変調および符号化方式であり、かつ／または第1の情報インデックスは、トランスポートブロックサイズインデックスもしくは変調および符号化方式インデックスであり、かつ／または第2の情報はリソースブロックの数である。
【００１５】
第1の態様または第1の態様の第1、第2、第3、第4、第5、もしくは第6の可能な実装形態を参照して、第1の態様の第7の可能な実装形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。
【００１６】
第2の態様によれば、本発明の一実施形態は、制御情報フォーマット処理方法を提供し、この方法は、
基地局によって送信されたダウンリンク制御情報に含まれる第1のフィールド、またはダウンリンク制御情報に含まれる第2のフィールドを検出するステップと、
ダウンリンク制御情報に含まれる第1のフィールドが有効な設定を示すと判断される場合、第1の制御情報フォーマットに従ってダウンリンク制御情報を取得するステップと、
ダウンリンク制御情報に含まれる第2のフィールドが無効な設定を示すと判断される場合、第2の制御情報フォーマットに従ってダウンリンク制御情報を取得するステップと
を含む。
【００１７】
第2の態様を参照して、第2の態様の第1の可能な実装形態では、
有効な設定は、有効なビット状態、または有効な第1の情報インデックス、または第1の情報インデックスと第2の情報との有効な組合せを含み、
無効な設定は、無効なビット状態、または無効な第1の情報インデックス、または第1の情報インデックスと第2の情報との無効な組合せを含み、
有効なビット状態は、有効な第1の情報または有効な第1の情報インデックスを示し、無効なビット状態は、無効な第1の情報または無効な第1の情報インデックスを示し、第1の情報インデックスは、第1の情報を示すために使用される。
【００１８】
第2の態様または第2の態様の第1の可能な実装形態を参照して、第2の態様の第2の可能な実装形態では、
第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【００１９】
第2の態様または第2の態様の第1もしくは第2の可能な実装形態を参照して、第2の態様の第3の可能な実装形態では、
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含み、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含む。
【００２０】
第2の態様の第1、第2、または第3の可能な実装形態を参照して、第2の態様の第4の可能な実装形態では、
第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むこと
を含み、
第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含む。
【００２１】
第2の態様の第1、第2、第3、または第4の可能な実装形態を参照して、第2の態様の第5の可能な実装形態では、
有効なビット状態は、1011、1100、1101、1110、および1111を除くすべての4ビット状態値のうちの状態値を含み、かつ／または
無効なビット状態は、1011、1100、1101、1110、もしくは1111のうちの少なくとも1つの状態値を含み、かつ／または
有効な第1の情報インデックスは、そのインデックス番号が0、1、2、3、4、5、6、7、8、9、もしくは10のうちの1つであるインデックスを含み、かつ／または
無効な第1の情報インデックスは、そのインデックス番号が11、12、13、14、もしくは15のうちの1つであるインデックスを含む。
【００２２】
第2の態様の第1、第2、第3、第4、または第5の可能な実装形態を参照して、第2の態様の第6の可能な実装形態では、第1の情報は、トランスポートブロックサイズもしくは変調および符号化方式であり、かつ／または第1の情報インデックスは、トランスポートブロックサイズインデックスもしくは変調および符号化方式インデックスであり、かつ／または第2の情報はリソースブロックの数である。
【００２３】
第2の態様または第2の態様の第1、第2、第3、第4、第5、もしくは第6の可能な実装形態を参照して、第2の態様の第7の可能な実装形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。
【００２４】
第3の態様によれば、本発明の一実施形態は、基地局を提供し、基地局は、
ダウンリンク制御情報の制御情報フォーマットを決定するように構成された情報フォーマット決定モジュールと、
ダウンリンク制御情報の制御情報フォーマットが第1の制御情報フォーマットである場合、第1の制御情報フォーマットに対応するダウンリンク制御情報に含まれる第1のフィールドが有効な設定を示すと判断するか、または、ダウンリンク制御情報の制御情報フォーマットが第2の制御情報フォーマットである場合、第2の制御情報フォーマットに対応するダウンリンク制御情報に含まれる第2のフィールドが無効な設定を示すと判断するように構成されたフィールド設定判断モジュールと、
決定された制御情報フォーマットに対応するダウンリンク制御情報をユーザ機器（UE）に送信するように構成された送受信モジュールと
を含む。
【００２５】
第3の態様を参照して、第3の態様の第1の可能な実装形態では、
フィールド設定判断モジュールによって判断される有効な設定は、有効なビット状態、または有効な第1の情報インデックス、または第1の情報インデックスと第2の情報との有効な組合せを含み、
フィールド設定判断モジュールによって判断される無効な設定は、無効なビット状態、または無効な第1の情報インデックス、または第1の情報インデックスと第2の情報との無効な組合せを含み、
有効なビット状態は、有効な第1の情報または有効な第1の情報インデックスを示し、無効なビット状態は、無効な第1の情報または無効な第1の情報インデックスを示し、第1の情報インデックスは、第1の情報を示すために使用される。
【００２６】
第3の態様または第3の態様の第1の可能な実装形態を参照して、第3の態様の第2の可能な実装形態では、フィールド設定判断モジュールは、以下の内容：
第1のフィールドに対応するダウンリンク制御情報内の第1のフィールドのビット位置は、第2のフィールドに対応するダウンリンク制御情報内の第2のフィールドのビット位置と同じであること、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であること、または
第1のフィールドに対応するダウンリンク制御情報内の第1のフィールドの下位Xビットのビット位置は、第2のフィールドに対応するダウンリンク制御情報内の第2のフィールドのビット位置と同じであること
を判断するように具体的に構成される。
【００２７】
第3の態様または第3の態様の第1もしくは第2の可能な実装形態を参照して、第3の態様の第3の可能な実装形態では、フィールド設定判断モジュールは、以下の内容：
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含むこと、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含むこと
を判断するように具体的に構成される。
【００２８】
第3の態様の第1、第2、または第3の可能な実装形態を参照して、第3の態様の第4の可能な実装形態では、
フィールド設定判断モジュールは、第1の情報インデックスと第2の情報との有効な組合せが、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むこと
を含むと判断するように具体的に構成され、
フィールド設定判断モジュールは、第1の情報インデックスと第2の情報との無効な組合せが、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含むと判断するように具体的に構成される。
【００２９】
第3の態様の第1、第2、第3、または第4の可能な実装形態を参照して、第3の態様の第5の可能な実装形態では、
フィールド設定判断モジュールは、有効なビット状態が、1011、1100、1101、1110、および1111を除くすべての4ビット状態値のうちの状態値を含むと判断するように具体的に構成され、かつ／または
フィールド設定判断モジュールは、無効なビット状態が、1011、1100、1101、1110、もしくは1111のうちの少なくとも1つの状態値を含むと判断するように具体的に構成され、かつ／または
フィールド設定判断モジュールは、有効な第1の情報インデックスが、そのインデックス番号が0、1、2、3、4、5、6、7、8、9、もしくは10のうちの1つであるインデックスを含むと判断するように具体的に構成され、かつ／または
フィールド設定判断モジュールは、無効な第1の情報インデックスが、そのインデックス番号が11、12、13、14、もしくは15のうちの1つであるインデックスを含むと判断するように具体的に構成される。
【００３０】
第3の態様の第1、第2、第3、第4、または第5の可能な実装形態を参照して、第3の態様の第6の可能な実装形態では、第1の情報は、トランスポートブロックサイズもしくは変調および符号化方式であり、かつ／または第1の情報インデックスは、トランスポートブロックサイズインデックスもしくは変調および符号化方式インデックスであり、かつ／または第2の情報はリソースブロックの数である。
【００３１】
第3の態様または第3の態様の第1、第2、第3、第4、第5、もしくは第6の可能な実装形態を参照して、第3の態様の第7の可能な実装形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。
【００３２】
第4の態様によれば、本発明の一実施形態は、ユーザ機器（UE）を提供し、UEは、
基地局によって送信されたダウンリンク制御情報に含まれる第1のフィールド、またはダウンリンク制御情報に含まれる第2のフィールドを検出するように構成された検出モジュールと、
ダウンリンク制御情報に含まれる第1のフィールドが有効な設定を示すと判断する場合、第1の制御情報フォーマットに従ってダウンリンク制御情報を取得するように構成された第1の取得モジュールと、
ダウンリンク制御情報に含まれる第2のフィールドが無効な設定を示すと判断する場合、第2の制御情報フォーマットに従ってダウンリンク制御情報を取得するように構成された第2の取得モジュールと
を含む。
【００３３】
第4の態様を参照して、第4の態様の第1の可能な実装形態では、
第1の取得モジュールによって判断される有効な設定は、有効なビット状態、または有効な第1の情報インデックス、または第1の情報インデックスと第2の情報との有効な組合せを含み、
第2の取得モジュールによって具体的に判断される無効な設定は、無効なビット状態、または無効な第1の情報インデックス、または第1の情報インデックスと第2の情報との無効な組合せを含み、
有効なビット状態は、有効な第1の情報または有効な第1の情報インデックスを示し、無効なビット状態は、無効な第1の情報または無効な第1の情報インデックスを示し、第1の情報インデックスは、第1の情報を示すために使用される。
【００３４】
第4の態様または第4の態様の第1の可能な実装形態を参照して、第4の態様の第2の可能な実装形態では、検出モジュールは、以下の内容：
第1のフィールドに対応するダウンリンク制御情報内の第1のフィールドのビット位置は、第2のフィールドに対応するダウンリンク制御情報内の第2のフィールドのビット位置と同じであること、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であること、または
第1のフィールドに対応するダウンリンク制御情報内の第1のフィールドの下位Xビットのビット位置は、第2のフィールドに対応するダウンリンク制御情報内の第2のフィールドのビット位置と同じであること
を検出するように具体的に構成される。
【００３５】
第4の態様または第4の態様の第1もしくは第2の可能な実装形態を参照して、第4の態様の第3の可能な実装形態では、検出モジュールは、以下の内容：
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含むこと、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含むこと
を検出するように具体的に構成される。
【００３６】
第4の態様の第1、第2、または第3の可能な実装形態を参照して、第4の態様の第4の可能な実装形態では、
第1の取得モジュールは、第1の情報インデックスと第2の情報との有効な組合せが、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むこと
を含むと判断するように具体的に構成され、
第2の取得モジュールは、第1の情報インデックスと第2の情報との無効な組合せが、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含むと判断するように具体的に構成される。
【００３７】
第4の態様の第1、第2、第3、または第4の可能な実装形態を参照して、第4の態様の第5の可能な実装形態では、
第1の取得モジュールは、有効なビット状態が、1011、1100、1101、1110、および1111を除くすべての4ビット状態値のうちの状態値を含むと判断するように具体的に構成され、かつ／または
第2の取得モジュールは、無効なビット状態が、1011、1100、1101、1110、もしくは1111のうちの少なくとも1つの状態値を含むと判断するように具体的に構成され、かつ／または
第1の取得モジュールは、有効な第1の情報インデックスが、そのインデックス番号が0、1、2、3、4、5、6、7、8、9、もしくは10のうちの1つであるインデックスを含むと判断するように具体的に構成され、かつ／または
第2の取得モジュールは、無効な第1の情報インデックスが、そのインデックス番号が11、12、13、14、もしくは15のうちの1つであるインデックスを含むと判断するように具体的に構成される。
【００３８】
第4の態様の第1、第2、第3、第4、または第5の可能な実装形態を参照して、第4の態様の第6の可能な実装形態では、第1の情報は、トランスポートブロックサイズもしくは変調および符号化方式であり、かつ／または第1の情報インデックスは、トランスポートブロックサイズインデックスもしくは変調および符号化方式インデックスであり、かつ／または第2の情報はリソースブロックの数である。
【００３９】
第4の態様または第4の態様の第1、第2、第3、第4、第5、もしくは第6の可能な実装形態を参照して、第4の態様の第7の可能な実装形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。
【００４０】
前述の技術的解決策から、本発明の実施形態が以下の利点を有することが分かる。
【００４１】
本発明の実施形態では、ダウンリンク制御情報の制御情報フォーマットが最初に決定される。ダウンリンク制御情報の制御情報フォーマットが第1の制御情報フォーマットであるとき、第1の制御情報フォーマットに対応するダウンリンク制御情報に含まれる第1のフィールドが有効な設定を示すと判断される。あるいは、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断される。決定された制御情報フォーマットに対応するダウンリンク制御情報は、最終的にUEに送信される。設定が有効であるかどうかは、ダウンリンク制御情報に含まれる第1のフィールドまたは第2のフィールドにより、ダウンリンク制御情報の制御情報フォーマットに従って示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【図面の簡単な説明】
【００４２】
【図１】本発明の一実施形態による、制御情報フォーマット処理方法のプロセスの概略ブロック図である。
【図２】本発明の一実施形態による、別の制御情報フォーマット処理方法のプロセスの概略ブロック図である。
【図３】本発明の一実施形態による、制御情報フォーマット処理方法の適用シナリオの概略図である。
【図４−ａ】本発明の一実施形態による、制御情報フォーマット処理方法の別の適用シナリオの概略図である。
【図４−ｂ】本発明の一実施形態による、制御情報フォーマット処理方法の別の適用シナリオの概略図である。
【図５】本発明の一実施形態による、制御情報フォーマット処理方法の別の適用シナリオの概略図である。
【図６】本発明の一実施形態による、基地局の組織構造の概略図である。
【図７】本発明の一実施形態による、ユーザ機器の組織構造の概略図である。
【図８】本発明の一実施形態による、別の基地局の組織構造の概略図である。
【図９】本発明の一実施形態による、別のユーザ機器の組織構造の概略図である。
【発明を実施するための形態】
【００４３】
本発明の実施形態は、制御情報フォーマット処理方法、基地局、およびユーザ機器を提供して、カバレージ拡張シナリオにおけるダウンリンク制御情報を効果的に区別する。
【００４４】
本発明の発明目的、特徴、および利点をより明確かつ分かりやすくするために、以下では、本発明の実施形態における添付図面を参照して、本発明の実施形態における技術的解決策を明確に記載する。当然ながら、以下に記載される実施形態は、本発明の実施形態のすべてではなく、一部にすぎない。本発明の実施形態に基づいて、当業者によって取得されるすべての他の実施形態は、本発明の保護範囲内に入るべきである。
【００４５】
本発明の明細書、特許請求の範囲、および添付図面において、「第1の」、「第2の」などの用語は、同様のオブジェクトの間を区別するものであり、必ずしも特定の順序または順番を示すとは限らない。そのように使用される用語は、適切な状況において交換可能であり、本発明の実施形態において同じ属性を有するオブジェクトが記載されるときに使用される単なる区別方式であることを理解されたい。その上、「含む」、「包含する」という用語および任意の他の変形形態は、非排他的な含有をカバーすることを意味し、その結果、一連のユニットを含むプロセス、方法、システム、製品、またはデバイスは、必ずしもそれらのユニットに限定されるとは限らず、明示的に列挙されていない、またはそのようなプロセス、方法、製品、もしくはデバイスに固有の他のユニットを含んでもよい。
【００４６】
まず、本発明の実施形態によって提供される制御情報フォーマット処理方法が適用されるシステムアーキテクチャについて記載する。本発明の実施形態によって提供される制御情報フォーマット処理方法は、基地局側およびユーザ機器側に適用される。基地局は、決定された制御情報フォーマットに従ってダウンリンク制御情報を送信する。UEは、最初に、基地局によって送信されたダウンリンク制御情報を検出してダウンリンク制御情報を取得する必要がある。以下で、基地局側およびユーザ機器側の観点から、本発明の実施形態によって提供される制御情報フォーマット処理方法を詳細に記載する。
【００４７】
図1を参照すると、本発明の実施形態によって提供される制御情報フォーマット処理方法は、以下のステップを含む場合がある。
【００４８】
101：ダウンリンク制御情報の制御情報フォーマットを決定する。
【００４９】
本発明のこの実施形態では、制御チャネルはダウンリンク制御情報を搬送し、ダウンリンク制御情報は、複数のフォーマットの制御情報を搬送するために使用されてもよい。したがって、基地局は、最初に、ダウンリンク制御情報の制御情報フォーマットを決定する必要がある。具体的には、基地局は、複数の制御情報フォーマットを設定することができ、基地局によって設定される制御情報フォーマットは、第1の制御情報フォーマットおよび第2の制御情報フォーマットを含む。第1の制御情報フォーマットおよび第2の制御情報フォーマットは、2つの異なる制御情報フォーマットを示す。様々な特定のシナリオでは、第1の制御情報フォーマットおよび第2の制御情報フォーマットは、実際の制御情報フォーマットを示すために使用されてもよい。本発明のこの実施形態では、ダウンリンク制御情報の制御情報フォーマットは、第1の制御情報フォーマットおよび第2の制御情報フォーマットに限定されなくてもよく、より多くの制御情報フォーマットをさらに含んでもよい。より多くの制御情報フォーマットを処理するための方法は、本発明のこの実施形態で提供される第1の制御情報フォーマットおよび第2の制御情報フォーマットを処理するための方法と同様であり、第1の制御情報フォーマットおよび第2の制御情報フォーマットを処理するための方法と同様であり、以下の実施の形態に記載される第1の制御情報フォーマットおよび第2の制御情報フォーマットを処理するプロセスを参照することができる。
【００５０】
本発明のいくつかの実施形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。この実装シナリオでは、ダウンリンク制御情報は、認可情報または制御チャネルコマンド情報を搬送することができる。ダウンリンク制御情報は、他の制御情報をさらに搬送することができ、たとえば、ページングメッセージのスケジューリング情報を搬送することができ、システム情報更新指示、地震および台風の警報、商用モバイルアクセスサービス、または拡張アクセス規制（英語フルネーム：Extended Access Barring、略してEAB）のうちの1つまたは複数をさらに搬送することができる。
【００５１】
102：ダウンリンク制御情報の制御情報フォーマットが第1の制御情報フォーマットであるとき、第1の制御情報フォーマットに対応するダウンリンク制御情報に含まれる第1のフィールドが有効な設定を示すと判断するか、または、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断する。
【００５２】
本発明のこの実施形態では、基地局は、ステップ101において、最初にダウンリンク制御情報の制御情報フォーマットを決定する必要がある。基地局は、様々な制御情報フォーマット指示方法を使用して、ダウンリンク制御情報の様々な制御情報フォーマットを決定する必要があり、その結果、UEは、基地局によって決定された様々な制御情報フォーマット指示方法に従って、基地局によって使用される様々な制御情報フォーマットを特定することができる。本発明のこの実施形態では、基地局は、ダウンリンク制御情報に含まれるフィールドを使用して、制御情報フォーマットを示すことができる。具体的には、基地局は、ダウンリンク制御情報に含まれるフィールドが有効な設定を示すかどうかを指定して、基地局に使用される制御情報フォーマットを示すことができる。ダウンリンク制御情報に含まれるフィールドは、送信される必要があるダウンリンク制御情報の内容の一部なので、ダウンリンク制御情報に含まれるフィールドが有効な設定を示すかどうかを指定する方法は、制御情報フォーマットを示すために基地局によって使用される。この方法は、ダウンリンク制御情報に余分な構成フィールドを追加せず、ダウンリンク制御情報に含まれるフィールドを再利用するだけである。したがって、ダウンリンク制御情報のペイロードサイズは増大せず、UEがダウンリンク制御情報を検出するオーバヘッドは増大しない。
【００５３】
本発明のこの実施形態では、説明を簡単にするために、ダウンリンク制御情報内の制御情報フォーマットを示すために使用されるフィールドは、第1のフィールドおよび第2のフィールドとして定義される。ダウンリンク制御情報に含まれる第1のフィールドが有効な設定を示すとき、それは基地局が第1の制御情報フォーマットを使用することを示す。ダウンリンク制御情報に含まれる第2のフィールドが無効な設定を示すとき、それは基地局が第2の制御情報フォーマットを使用することを示す。有効な設定は、第1のフィールドに含まれるフィールド内容が有効であることを指すことができ、無効な設定は、第2のフィールドに含まれるフィールド内容が無効であることを指す。したがって、ダウンリンク制御情報の制御情報フォーマットが第1の制御情報フォーマットであると基地局が決定した場合、基地局は、ダウンリンク制御情報に含まれる第1のフィールドの指示を有効な設定に設定し、UEは、ダウンリンク制御情報に含まれる第1のフィールドの指示、すなわち有効な設定に従って、基地局が第1の制御情報フォーマットを使用したと判断することができる。同様に、ダウンリンク制御情報の制御情報フォーマットが第2の制御情報フォーマットであると基地局が決定した場合、基地局は、ダウンリンク制御情報に含まれる第2のフィールドの指示を無効な設定に設定し、UEは、ダウンリンク制御情報に含まれる第2のフィールドの指示、すなわち無効な設定に従って、基地局が第2の制御情報フォーマットを使用したと判断することができる。
【００５４】
本発明のいくつかの実施形態では、第1のフィールドおよび第2のフィールドは、同じフィールドまたは異なるフィールドであってもよいことに留意されたい。たとえば、第1のフィールドは、トランスポートブロックサイズフィールド、変調および符号化方式フィールド、狭帯域内リソース割振りフィールド、またはパディングビットフィールドのうちの1つまたは複数を含んでもよく、第2のフィールドは、トランスポートブロックサイズフィールド、変調および符号化方式フィールド、狭帯域内リソース割振りフィールド、またはパディングビットフィールドのうちの1つまたは複数を含んでもよい。あるいは、第1のフィールドは、トランスポートブロックサイズフィールド、変調および符号化方式フィールド、狭帯域内リソース割振りフィールド、またはパディングビットフィールドのうちの1つまたは複数を含んでもよく、第2のフィールドは、認可区別フィールド、予備ビットフィールド、またはパディングビットフィールドのうちの1つまたは複数を含んでもよい。
【００５５】
トランスポートブロックサイズフィールド、変調および符号化方式フィールド、狭帯域内リソース割振りフィールド、およびパディングビットフィールドは、ダウンリンク制御情報に含まれる特定のフィールドである。本発明のこの実施形態では、フィールドのうちの1つまたは複数は、第1のフィールドおよび第2のフィールドとして使用されてもよい。加えて、認可区別フィールドおよび予備ビットフィールドも、ダウンリンク制御情報に含まれる特定のフィールドであり、第2のフィールドは、認可区別フィールドおよび予備ビットフィールドを使用して実装されてもよい。
【００５６】
本発明のいくつかの実施形態では、有効な設定は、有効なビット状態、または有効な第1の情報インデックス、または第1の情報インデックスと第2の情報との有効な組合せを含んでもよい。
【００５７】
無効な設定は、無効なビット状態、または無効な第1の情報インデックス、または第1の情報インデックスと第2の情報との無効な組合せを含む。
【００５８】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【００５９】
具体的には、本発明のこの実施形態では、有効な設定は有効なビット状態であってもよく、有効なビット状態は有効な第1の情報または有効な第1の情報インデックスを示すことができ、第1の情報インデックスは第1の情報を示すことができる。すなわち、第1の制御情報フォーマットを使用することを決定すると、基地局は、第1のフィールドの指示を有効なビット状態に設定することができる。UEは、有効なビット状態を介して、基地局が第1の制御情報フォーマットを使用したことを知ることができる。有効な設定は有効な第1の情報インデックスであってもよく、すなわち、第1の制御情報フォーマットを使用することを決定すると、基地局は、第1のフィールドの指示を有効な第1の情報インデックスに設定することができる。UEは、有効な第1の情報インデックスを介して、基地局が第1の制御情報フォーマットを使用したことを知ることができる。有効な設定は、第1の情報インデックスと第2の情報との有効な組合せであってもよく、すなわち、第1の情報インデックスと第2の情報との組合せは有効である。第2の情報は第1の情報以外の情報であってもよい。有効な設定が第1の情報インデックスと第2の情報との有効な組合せである場合、すなわち、第1の制御情報フォーマットを使用することを決定すると、基地局は、第1のフィールドの指示を第1の情報インデックスと第2の情報との有効な組合せに設定することができる。UEは、第1の情報インデックスと第2の情報との有効な組合せを介して、基地局が第1の制御情報フォーマットを使用したことを知ることができる。
【００６０】
本発明のこの実施形態では、無効な設定は無効なビット状態であってもよく、無効なビット状態は無効な第1の情報または無効な第1の情報インデックスを示すことができ、第1の情報インデックスは第1の情報を示すことができる。すなわち、第1の制御情報フォーマットを使用することを決定すると、基地局は、第2のフィールドの指示を無効なビット状態に設定することができる。UEは、無効なビット状態を介して、基地局が第1の制御情報フォーマットを使用したことを知ることができる。無効な設定は無効な第1の情報インデックスであってもよく、すなわち、第1の制御情報フォーマットを使用することを決定すると、基地局は、第2のフィールドの指示を無効な第1の情報インデックスに設定することができる。UEは、無効な第1の情報インデックスを介して、基地局が第1の制御情報フォーマットを使用したことを知ることができる。無効な設定は、第1の情報インデックスと第2の情報との無効な組合せであってもよく、すなわち、第1の情報インデックスと第2の情報との組合せは無効である。第2の情報は第1の情報以外の情報であってもよい。無効な設定が第1の情報インデックスと第2の情報との無効な組合せである場合、すなわち、第1の制御情報フォーマットを使用することを決定すると、基地局は、第2のフィールドの指示を第1の情報インデックスと第2の情報との無効な組合せに設定することができる。UEは、第1の情報インデックスと第2の情報との無効な組合せを介して、基地局が第1の制御情報フォーマットを使用したことを知ることができる。
【００６１】
さらに、本発明の他の実施形態では、第1の情報は、トランスポートブロックサイズもしくは変調および符号化方式であり、かつ／または第1の情報インデックスは、トランスポートブロックサイズインデックスもしくは変調および符号化方式インデックスであり、かつ／または第2の情報はリソースブロックの数である。実際の適用シナリオでは、第1の情報、第1の情報インデックス、および第2の情報は、別の方式でさらに実装されてもよいことに留意されたい。本発明のこの実施形態における実現可能な実装シナリオのみが本明細書で提供される。
【００６２】
本発明のいくつかの実施形態では、有効な組合せおよび無効な組合せは、以下でさらに記載される。具体的には、第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むことを含んでもよい。
【００６３】
第1の情報インデックスは、0から9の固定値であるインデックス番号を含み、すなわち、第1の情報インデックスは、インデックス番号0、インデックス番号1、インデックス番号2、インデックス番号3、インデックス番号4、インデックス番号5、インデックス番号6、インデックス番号7、インデックス番号8、またはインデックス番号9であってもよい。このことは本明細書では限定されない。具体的には、第1の情報インデックスに含まれる特定のインデックス番号は、適用シナリオに応じて決定されてもよい。
【００６４】
具体的には、第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含んでもよい。
【００６５】
本発明のいくつかの実施形態では、有効なビット状態および無効なビット状態は、以下の例によって記載される。具体的には、有効なビット状態は、1011、1100、1101、1110、および1111を除くすべての4ビット状態値のうちの状態値を含んでもよく、かつ／または
無効なビット状態は、1011、1100、1101、1110、もしくは1111のうちの少なくとも1つの状態値を含んでもよく、かつ／または
有効な第1の情報インデックスは、そのインデックス番号が0、1、2、3、4、5、6、7、8、9、もしくは10のうちの1つであるインデックスを含んでもよく、かつ／または
無効な第1の情報インデックスは、そのインデックス番号が11、12、13、14、もしくは15のうちの1つであるインデックスを含んでもよい。
【００６６】
本発明のいくつかの実施形態では、第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【００６７】
ビット位置は、ダウンリンク制御情報内のフィールドの特定の位置を指す。ビット位置は、ダウンリンク制御情報内の別のフィールドに対するフィールドの相対位置であってもよく、またはダウンリンク制御情報内のフィールドのビット順序であってもよい。このことは本明細書では具体的に限定されない。加えて、第1のフィールドの上位Xビットは、第1のフィールド内の上から下の順番で最上位ビットから始まる合計Xビットを指すことができる。第1のフィールドの下位Xビットは、第1のフィールド内の下から上の順番で最下位ビットから始まる合計Xビットを指すことができる。
【００６８】
本発明のいくつかの実施形態では、第1のフィールド内のビットの数は、第2のフィールド内のビットの数と同じであり、または
第1のフィールド内の上位Xビットの数は、第2のフィールド内のビットの数と同じであり、Xは第2のフィールド内のビットの数であり、または
第1のフィールド内の下位Xビットの数は、第2のフィールド内のビットの数と同じであり、Xは第2のフィールド内のビットの数である。
【００６９】
言い換えれば、本発明のこの実施形態では、第1のフィールドは、第2のフィールドと同じフィールド長を有してもよく、すなわち、第1のフィールド内のビットの数は、第2のフィールド内のビットの数と同じであってもよい。加えて、第1のフィールドは、代替的に、第2のフィールドよりも大きいフィールド長を有してもよく、すなわち、第1のフィールド内の上位Xビットの数は、第2のフィールド内のビットの数と同じであるか、または第1のフィールド内の下位Xビットの数は、第2のフィールド内のビットの数と同じである。
【００７０】
103．決定された制御情報フォーマットに対応するダウンリンク制御情報をUEに送信する。
【００７１】
本発明のこの実施形態では、ステップ102の説明によれば、基地局がダウンリンク制御情報内の制御情報フォーマットの指示を設定した後、基地局は、決定された制御情報フォーマットに対応するダウンリンク制御情報をUEに送信することができる。基地局は、第1の制御情報フォーマットまたは第2の制御情報フォーマットを使用することができる。基地局が第1の制御情報フォーマットおよび第2の制御情報フォーマットを使用するとき、基地局はダウンリンク制御情報に含まれる第1のフィールドと第2のフィールドに対して異なる有効性設定を別々に実施することが、ステップ102から分かる。基地局によってUEに送信されるダウンリンク制御情報は、第1のフィールドまたは第2のフィールドの有効性設定に関する情報を含む。UEは、基地局によって送信されたダウンリンク制御情報を検出し、ダウンリンク制御情報に含まれる第1のフィールドまたは第2のフィールドの有効性設定に関する情報に従って、基地局が第1の制御情報フォーマットを使用したか、または第2の制御情報フォーマットを使用したかを判定することができるUEは、判定された制御情報フォーマットに従って、基地局によって送信されたダウンリンク制御情報を取得することができる。
【００７２】
本発明のこの実施形態の説明から、ダウンリンク制御情報の制御情報フォーマットが最初に決定されることが分かる。ダウンリンク制御情報の制御情報フォーマットが第1の制御情報フォーマットであるとき、第1の制御情報フォーマットに対応するダウンリンク制御情報に含まれる第1のフィールドが有効な設定を示すと判断される。あるいは、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断される。決定された制御情報フォーマットに対応するダウンリンク制御情報は、最終的にUEに送信される。設定が有効であるかどうかは、ダウンリンク制御情報に含まれる第1のフィールドまたは第2のフィールドにより、ダウンリンク制御情報の制御情報フォーマットに従って示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【００７３】
前述の実施形態は、基地局側の観点から、本発明のこの実施形態によって提供される制御情報フォーマット処理方法を記載し、以下では、ユーザ機器側の観点から、本発明の一実施形態によって提供される制御情報フォーマット処理方法を詳細に記載する。図2を参照すると、本発明のこの実施形態によって提供される制御情報フォーマット処理方法は、以下のステップを含む場合がある。
【００７４】
201．基地局によって送信されたダウンリンク制御情報に含まれる第1のフィールド、またはダウンリンク制御情報に含まれる第2のフィールドを検出する。
【００７５】
本発明のこの実施形態では、UEは、基地局によって送信されたダウンリンク制御情報を検出する。UEは、ダウンリンク制御情報に含まれるフィールドを使用して制御情報フォーマットを特定することができる。具体的には、UEは、ダウンリンク制御情報に含まれるフィールドが有効な設定を示すかどうかに応じて、基地局によって使用された制御情報フォーマットを特定する。ダウンリンク制御情報に含まれるフィールドは、送信される必要があるダウンリンク制御情報の内容の一部なので、ダウンリンク制御情報に含まれるフィールドが有効な設定を示すかどうかを指定する方法は、制御情報フォーマットを示すために基地局によって使用される。この方法は、ダウンリンク制御情報に余分な構成フィールドを追加せず、ダウンリンク制御情報に含まれるフィールドを再利用するだけである。したがって、ダウンリンク制御情報のペイロードサイズは増大せず、UEがダウンリンク制御情報を検出するオーバヘッドは増大しない。
【００７６】
具体的には、UEは、ダウンリンク制御情報に含まれる第1のフィールドまたは第2のフィールドを検出することができる。前述の実施形態では、基地局は、ダウンリンク制御情報に含まれる第1のフィールドまたは第2のフィールドが有効な設定を示すかどうかに関する情報を構成する。UEは、ダウンリンク制御情報に含まれる第1のフィールドまたは第2のフィールドを検出し、第1のフィールドまたは第2のフィールドの指示が有効な設定を示すかどうかを判定することができる。UEによって検出された第1のフィールドの指示結果が第2のフィールドの指示結果と異なる場合、UEは下記に記載されるステップ202とおよびステップ203を別々に実施することができる。
【００７７】
本発明のこの実施形態では、基地局によって送信されたダウンリンク制御情報が様々な制御情報フォーマットを使用するとき、UEも、対応する制御情報フォーマットを使用してダウンリンク制御情報を受信する必要がある。本発明のこの実施形態では、UEは、基地局がダウンリンク制御情報に含まれる第1のフィールドまたは第2のフィールドの指示を有効な設定に設定したかどうかに従って、基地局によって送信されたダウンリンク制御情報を取得する方式を決定することができる。UEは、ダウンリンク制御情報に含まれる第1のフィールドまたは第2のフィールドの有効性設定を検出し、第1のフィールドまたは第2のフィールドの指示が有効な設定であるか、または無効な設定であるかに応じて、基地局が第1の制御情報フォーマットを使用したか、または第2の制御情報フォーマットを使用したかを判定する。
【００７８】
様々な特定のシナリオでは、第1の制御情報フォーマットおよび第2の制御情報フォーマットは、実際の制御情報フォーマットを示すために使用されてもよいことに留意されたい。本発明のこの実施形態では、ダウンリンク制御情報の制御情報フォーマットは、第1の制御情報フォーマットおよび第2の制御情報フォーマットに限定されなくてもよく、より多くの制御情報フォーマットをさらに含んでもよい。より多くの制御情報フォーマットを処理するための方法は、本発明のこの実施形態で提供される第1の制御情報フォーマットおよび第2の制御情報フォーマットを処理するための方法と同様であり、第1の制御情報フォーマットおよび第2の制御情報フォーマットを処理するための方法と同様であり、以下の実施の形態に記載される第1の制御情報フォーマットおよび第2の制御情報フォーマットを処理するプロセスを参照することができる。
【００７９】
本発明のいくつかの実施形態では、第1の制御情報フォーマットに対応するダウンリンク制御情報は、認可情報を搬送し、かつ／または第2の制御情報フォーマットに対応するダウンリンク制御情報は、制御チャネルコマンド情報を搬送する。この実装シナリオでは、ダウンリンク制御情報は、認可情報または制御チャネルコマンド情報を搬送することができる。これはダウンリンク制御情報が負担する機能とは異なり、ダウンリンク制御情報は異なる制御情報フォーマットを使用する必要がある。それは、ダウンリンク制御情報が他の制御情報をさらに搬送することができ、たとえば、ページングメッセージのスケジューリング情報を搬送することができ、システム情報更新指示、地震および台風の警報、商用モバイルアクセスサービス、または拡張アクセス規制のうちの1つもしくは複数をさらに搬送することができることに限定さない。
【００８０】
本発明のいくつかの実施形態では、第1のフィールドおよび第2のフィールドは、同じフィールドまたは異なるフィールドであってもよい。たとえば、第1のフィールドは、トランスポートブロックサイズフィールド、変調および符号化方式フィールド、狭帯域内リソース割振りフィールド、またはパディングビットフィールドのうちの1つまたは複数を含んでもよく、第2のフィールドは、トランスポートブロックサイズフィールド、変調および符号化方式フィールド、狭帯域内リソース割振りフィールド、またはパディングビットフィールドのうちの1つまたは複数を含んでもよい。あるいは、第1のフィールドは、トランスポートブロックサイズフィールド、変調および符号化方式フィールド、狭帯域内リソース割振りフィールド、またはパディングビットフィールドのうちの1つまたは複数を含んでもよく、第2のフィールドは、認可区別フィールド、予備ビットフィールド、またはパディングビットフィールドのうちの1つまたは複数を含んでもよい。
【００８１】
トランスポートブロックサイズフィールド、変調および符号化方式フィールド、狭帯域内リソース割振りフィールド、およびパディングビットフィールドは、ダウンリンク制御情報に含まれる特定のフィールドである。本発明のこの実施形態では、フィールドのうちの1つまたは複数は、第1のフィールドおよび第2のフィールドとして使用されてもよい。加えて、認可区別フィールドおよび予備ビットフィールドも、ダウンリンク制御情報に含まれる特定のフィールドであり、第2のフィールドは、認可区別フィールドおよび予備ビットフィールドを使用して実装されてもよい。
【００８２】
本発明のいくつかの実施形態では、有効な設定は、有効なビット状態、または有効な第1の情報インデックス、または第1の情報インデックスと第2の情報との有効な組合せを含んでもよい。
【００８３】
無効な設定は、無効なビット状態、または無効な第1の情報インデックス、または第1の情報インデックスと第2の情報との無効な組合せを含む。
【００８４】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【００８５】
具体的には、本発明のこの実施形態では、有効な設定は有効なビット状態であってもよく、有効なビット状態は有効な第1の情報または有効な第1の情報インデックスを示すことができ、第1の情報インデックスは第1の情報を示すことができる。すなわち、第1の制御情報フォーマットを使用することを決定すると、基地局は、第1のフィールドの指示を有効なビット状態に設定することができる。UEは、有効なビット状態を介して、基地局が第1の制御情報フォーマットを使用したことを知ることができる。有効な設定は有効な第1の情報インデックスであってもよく、すなわち、第1の制御情報フォーマットを使用することを決定すると、基地局は、第1のフィールドの指示を有効な第1の情報インデックスに設定することができる。UEは、有効な第1の情報インデックスを介して、基地局が第1の制御情報フォーマットを使用したことを知ることができる。有効な設定は、第1の情報インデックスと第2の情報との有効な組合せであってもよく、すなわち、第1の情報インデックスと第2の情報との組合せは有効である。第2の情報は第1の情報以外の情報であってもよい。有効な設定が第1の情報インデックスと第2の情報との有効な組合せである場合、すなわち、第1の制御情報フォーマットを使用することを決定すると、基地局は、第1のフィールドの指示を第1の情報インデックスと第2の情報との有効な組合せに設定することができる。UEは、第1の情報インデックスと第2の情報との有効な組合せを介して、基地局が第1の制御情報フォーマットを使用したことを知ることができる。
【００８６】
本発明のこの実施形態では、無効な設定は無効なビット状態であってもよく、無効なビット状態は無効な第1の情報または無効な第1の情報インデックスを示すことができ、第1の情報インデックスは第1の情報を示すことができる。すなわち、第1の制御情報フォーマットを使用することを決定すると、基地局は、第2のフィールドの指示を無効なビット状態に設定することができる。UEは、無効なビット状態を介して、基地局が第1の制御情報フォーマットを使用したことを知ることができる。無効な設定は無効な第1の情報インデックスであってもよく、すなわち、第1の制御情報フォーマットを使用することを決定すると、基地局は、第2のフィールドの指示を無効な第1の情報インデックスに設定することができる。UEは、無効な第1の情報インデックスを介して、基地局が第1の制御情報フォーマットを使用したことを知ることができる。無効な設定は、第1の情報インデックスと第2の情報との無効な組合せであってもよく、すなわち、第1の情報インデックスと第2の情報との組合せは無効である。第2の情報は第1の情報以外の情報であってもよい。無効な設定が第1の情報インデックスと第2の情報との無効な組合せである場合、すなわち、第1の制御情報フォーマットを使用することを決定すると、基地局は、第2のフィールドの指示を第1の情報インデックスと第2の情報との無効な組合せに設定することができる。UEは、第1の情報インデックスと第2の情報との無効な組合せを介して、基地局が第1の制御情報フォーマットを使用したことを知ることができる。
【００８７】
さらに、本発明の他の実施形態では、第1の情報は、トランスポートブロックサイズもしくは変調および符号化方式であり、かつ／または第1の情報インデックスは、トランスポートブロックサイズインデックスもしくは変調および符号化方式インデックスである。第2の情報はリソースブロックの数である。実際の適用シナリオでは、第1の情報、第1の情報インデックス、および第2の情報は、別の方式でさらに実装されてもよいことに留意されたい。本発明のこの実施形態における実現可能な実装シナリオのみが本明細書で提供される。
【００８８】
本発明のいくつかの実施形態では、有効な組合せおよび無効な組合せは、以下でさらに記載される。具体的には、第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むことを含んでもよい。
【００８９】
第1の情報インデックスは、0から9の固定値であるインデックス番号を含み、すなわち、第1の情報インデックスは、インデックス番号0、インデックス番号1、インデックス番号2、インデックス番号3、インデックス番号4、インデックス番号5、インデックス番号6、インデックス番号7、インデックス番号8、またはインデックス番号9であってもよい。このことは本明細書では限定されない。具体的には、第1の情報インデックスに含まれる特定のインデックス番号は、適用シナリオに応じて決定されてもよい。
【００９０】
具体的には、第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含んでもよい。
【００９１】
本発明のいくつかの実施形態では、有効なビット状態および無効なビット状態は、以下の例によって記載される。具体的には、有効なビット状態は、1011、1100、1101、1110、および1111を除くすべての4ビット状態値のうちの状態値を含んでもよく、かつ／または
無効なビット状態は、1011、1100、1101、1110、もしくは1111のうちの少なくとも1つの状態値を含んでもよく、かつ／または
有効な第1の情報インデックスは、そのインデックス番号が0、1、2、3、4、5、6、7、8、9、もしくは10のうちの1つであるインデックスを含んでもよく、かつ／または
無効な第1の情報インデックスは、そのインデックス番号が11、12、13、14、もしくは15のうちの1つであるインデックスを含んでもよい。
【００９２】
本発明のいくつかの実施形態では、第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【００９３】
ビット位置は、ダウンリンク制御情報内のフィールドの特定の位置を指す。ビット位置は、ダウンリンク制御情報内の別のフィールドに対するフィールドの相対位置であってもよく、またはダウンリンク制御情報内のフィールドの位置番号であってもよい。このことは本明細書では具体的に限定されない。加えて、第1のフィールドの上位Xビットは、第1のフィールド内の上から下の順番で最上位ビットから始まる合計Xビットを指すことができる。第1のフィールドの下位Xビットは、第1のフィールド内の下から上の順番で最下位ビットから始まる合計Xビットを指すことができる。
【００９４】
本発明のいくつかの実施形態では、第1のフィールド内のビットの数は、第2のフィールド内のビットの数と同じであり、または
第1のフィールド内の上位Xビットの数は、第2のフィールド内のビットの数と同じであり、Xは第2のフィールド内のビットの数であり、または
第1のフィールド内の下位Xビットの数は、第2のフィールド内のビットの数と同じであり、Xは第2のフィールド内のビットの数である。
【００９５】
言い換えれば、本発明のこの実施形態では、第1のフィールドは、第2のフィールドと同じフィールド長を有してもよく、すなわち、第1のフィールド内のビットの数は、第2のフィールド内のビットの数と同じであってもよい。加えて、第1のフィールドは、代替的に、第2のフィールドよりも大きいフィールド長を有してもよく、すなわち、第1のフィールド内の上位Xビットの数は、第2のフィールド内のビットの数と同じであるか、または第1のフィールド内の下位Xビットの数は、第2のフィールド内のビットの数と同じである。
【００９６】
202．ダウンリンク制御情報に含まれる第1のフィールドが有効な設定を示すと判断されると、第1の制御情報フォーマットに従ってダウンリンク制御情報を取得する。
【００９７】
本発明のこの実施形態では、UEは、ダウンリンク制御情報に含まれる第1のフィールドを検出することができる。第1のフィールドが有効な設定を示すと判断した場合、UEは、基地局が第1の制御情報フォーマットを使用したと判断することができ、UEは、第1の制御情報フォーマットに従ってダウンリンク制御情報を取得することができる。
【００９８】
203．ダウンリンク制御情報に含まれる第2のフィールドが無効な設定を示すと判断されると、第2の制御情報フォーマットに従ってダウンリンク制御情報を取得する。
【００９９】
本発明のこの実施形態では、UEは、ダウンリンク制御情報に含まれる第2のフィールドを検出することができる。第2のフィールドが無効な設定を示すと判断した場合、UEは、基地局が第2の制御情報フォーマットを使用したと判断することができ、UEは、第2の制御情報フォーマットに従ってダウンリンク制御情報を取得することができる。
【０１００】
本発明のこの実施形態の説明から、UEが基地局によって送信されたダウンリンク制御情報に含まれる第1のフィールドまたは第2のフィールドを最初に検出することが分かる。ダウンリンク制御情報に含まれる第1のフィールドが有効な設定を示すと判断すると、UEは、第1の制御情報フォーマットに従ってダウンリンク制御情報を取得する。ダウンリンク制御情報に含まれる第2のフィールドが無効な設定を示すと判断すると、UEは、第2の制御情報フォーマットに従ってダウンリンク制御情報を取得する。設定が有効であるかどうかは、ダウンリンク制御情報に含まれる第1のフィールドまたは第2のフィールドにより、ダウンリンク制御情報の制御情報フォーマットに従って指示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【０１０１】
本発明の実施形態における前述の解決策をより良く理解し実装するために、以下では、特定の説明用の例として、対応する適用シナリオを使用する。
【０１０２】
本発明のこの実施形態では、ダウンリンク制御情報が認可情報を搬送するか、または制御チャネルコマンド情報を搬送するかを効果的に区別するための方法が、カバレージ拡張シナリオに対して提供される。
【０１０３】
図3を参照すると、図3は、本発明のこの実施形態において、ダウンリンク制御情報が認可情報を搬送するとき、およびダウンリンク制御情報が制御情報コマンドを搬送するときのダウンリンク制御情報の組織構造の概略図である。ダウンリンク制御情報が認可情報を搬送するとき、認可情報は、以下のフィールド：認可区別指示、狭帯域インデックス指示、狭帯域内リソース割振り指示、およびトランスポートブロックサイズ（英語フルネーム：Transport Block Size、略してTBS）指示、または変調および符号化方式（英語フルネーム：Modulation and Coding Scheme、略してMCS）指示、反復回数指示、ハイブリッド自動再送要求プロセス番号指示、新データインジケータ、ハイブリッド自動再送要求確認応答リソースオフセット指示、ダウンリンク制御情報反復回数指示、およびパディングビットのうちの少なくとも1つの内容を含む。以下で、認可情報に含まれる各フィールドを記載する。
【０１０４】
認可区別指示が最初に記載され、認可区別指示は、認可がアップリンク認可かダウンリンク認可かを示すために使用される。狭帯域インデックス指示は、狭帯域によって使用されるインデックス番号を示すために使用される。たとえば、狭帯域インデックス番号を示すためにceil（log2（floor（NDLRB／6）））ビットが使用され、ここで、ceilは切上げ関数を示し、floorは切捨て関数を示し、NDLRBはダウンリンクシステム帯域幅に含まれるリソースブロック（英語フルネーム：Resource Block、略してRB）の数を示す。たとえば、システム帯域幅は以下の：14MHz（英語フルネーム：Mega Hertz、略してMHz）、3MHz、5MHz、10MHz、15MHz、および20MHzの通りであり、NDLRBに含まれるリソースブロックの数は、6、15、25、50、75、および100である。狭帯域インデックス指示によって必要とされるビットの数は、例として以下の通りである。
【０１０５】
システム帯域幅＝1.4MHzのとき、合計1つの狭帯域が存在し、0ビットが狭帯域インデックスを示す。
【０１０６】
システム帯域幅＝3MHzのとき、合計2つの狭帯域が存在し、1ビットが狭帯域インデックスを示す。
【０１０７】
システム帯域幅＝5MHzのとき、合計4つの狭帯域が存在し、2ビットが狭帯域インデックスを示す。
【０１０８】
システム帯域幅＝10MHzのとき、合計8つの狭帯域が存在し、3ビットが狭帯域インデックスを示す。
【０１０９】
システム帯域幅＝15MHzのとき、合計12個の狭帯域が存在し、4ビットが狭帯域インデックスを示す。
【０１１０】
システム帯域幅＝20MHzのとき、合計16個の狭帯域が存在し、4ビットが狭帯域インデックスを示す。
【０１１１】
狭帯域内リソース割振り指示について記載する。たとえば、1つの狭帯域が6つのリソースブロック：｛PRBn、PRBn＋1、PRBn＋2、PRBn＋3、PRBn＋4、PRBn＋5｝を含む場合、狭帯域内でリソースを割り振るための2つの方法：6つのリソースブロック｛PRBn、PRBn＋1、PRBn＋2、PRBn＋3、PRBn＋4、PRBn＋5｝をユーザ機器に割り振ること、または4つのリソースブロック｛PRBn、PRBn＋1、PRBn＋2、PRBn＋3｝をユーザ機器に割り振ることが存在する。この場合、狭帯域内のリソース割振りを示すために1ビットが必要である。当然、狭帯域内のリソース指示は、5、4、または3ビットを使用して実施されてもよい。
【０１１２】
TBS指示またはMCS指示について記載する。たとえば、TBSインデックスまたはMCSインデックスを示すために4ビットが使用される。表1を参照すると、表1は、TBSインデックスとリソースブロックの数との間の構成関係テーブルである。TBSインデックスを示すために4ビットが使用されるとき、TBSは、示されたTBSインデックスおよびテーブル内のリソースブロックの数に従って取得されてもよい。TBSインデックスまたはMCSインデックスを示すために4ビットが使用されるとき、表1に合計11個のTBSインデックスが存在するので、5つの未使用状態がまだ存在する。たとえば、5つの未使用状態（最左ビットは最上位ビットである）は、1011、1100、1101、1110、1111であると仮定されてもよい。
【０１１３】
【表１】
2020167707.tif 000003
【０１１４】
加えて、本発明のこの実施形態では、反復回数指示は3ビットであってもよく、ハイブリッド自動再送要求プロセス番号指示は1ビットであってもよく、新データインジケータは1ビットであってもよく、ハイブリッド自動再送要求確認応答リソースオフセット指示は2ビットであってもよく、ダウンリンク制御情報反復回数指示は2ビットであってもよい。加えて、認可情報がパディングビットをさらに含む場合、パディングビットはxビットであり、ここで、xは要件に応じて設定され得る自然数である。
【０１１５】
ダウンリンク制御情報が認可情報を含むとき、いくつかのメッセージのスケジューリングを認可するために、ダウンリンク制御情報内のいくつかのフィールドの状態が固定値に設定される。たとえば、ランダムアクセス応答メッセージのスケジューリングを認可するために、ハイブリッド自動再送要求プロセス番号指示および新データインジケータのビット状態は、事前設定された固定値（たとえば、1または0）である。
【０１１６】
パディングビットの数xが0に等しくないとき、認可情報はパディングビットをさらに含むことに留意されたい。xはあらかじめ定義された数である。パディングビットの数が0に等しいとき、認可情報はパディングビットを含まない。
【０１１７】
ダウンリンク制御情報が制御チャネルコマンド情報を搬送するとき、制御チャネルコマンド情報は、以下のフィールド：認可区別指示、狭帯域インデックス指示、狭帯域内リソース割振り指示、ランダムアクセスプリアンブルインデックス指示、ランダムアクセスチャネルプロファイルインデックス指示、ランダムアクセスチャネルカバレージ拡張レベル指示、およびパディングビットのうちの少なくとも1つの内容を含む。
【０１１８】
制御チャネルコマンド情報に含まれる認可区別指示、狭帯域インデックス指示、狭帯域内リソース割振り指示、およびパディングビットの各フィールドの定義およびサイズは、認可情報に含まれる認可区別指示、狭帯域インデックス指示、狭帯域内リソース割振り指示、およびパディングビットの各フィールドの定義およびサイズと同じである。
【０１１９】
ランダムアクセスプリアンブルインデックス指示の場合、ランダムアクセスPreamble indexは、Aビットによって示され得るpreamble indexであってもよく、ここで、Aはあらかじめ定義された正の整数である。たとえば、Aは6、5、4、3、または2に等しい。
【０１２０】
ランダムアクセスチャネルプロファイルインデックス指示の場合、ランダムアクセスチャネルプロファイルインデックスは、Bビットによって示され得る物理ランダムアクセスチャネル（英語フルネーム：Physical Random Access Channel、略してPRACH）mask indexであってもよく、ここで、Bはあらかじめ定義された正の整数である。たとえば、Bは4、3、2、5、または6に等しい。
【０１２１】
ランダムアクセスチャネルカバレージ拡張レベル指示の場合、ランダムアクセスチャネルカバレージ拡張レベルは、Cビットによって示されてもよく、ここで、Cはあらかじめ定義された正の整数である。たとえば、Cは2、1、3または4に等しい。
【０１２２】
本発明のこの実施形態では、TBSインデックス（またはMCSインデックス）は有効または無効なインデックスであり、TBSインデックスは、ダウンリンク制御チャネルが認可情報を搬送するか、または制御チャネルコマンド情報を搬送するかを示すために使用されてもよい。
【０１２３】
ダウンリンク制御チャネルのダウンリンク制御情報が制御チャネルコマンド情報を搬送するとき、ダウンリンク制御チャネルのダウンリンク制御情報は、TBSインデックス（またはMCSインデックス）を示すフィールドをさらに含む。ダウンリンク制御情報が制御チャネルコマンド情報を搬送するとき、ダウンリンク制御情報内のTBSインデックス（またはMCSインデックス）を示すフィールドのビットサイズは、ダウンリンク制御情報が認可情報を搬送するときの認可情報内のTBSインデックス（またはMCSインデックス）を示すフィールドのビットサイズと同じである。
【０１２４】
図4−aを参照すると、図4−aは、本発明のこの実施形態において、ダウンリンク制御情報が認可情報を搬送するとき、およびダウンリンク制御情報が制御情報コマンドを搬送するときのダウンリンク制御情報の別の組織構造の概略図である。たとえば、preamble indexを示すビットの数は減らされてもよく、TBSインデックス（またはMCSインデックス）を示すために節約されたビットが使用される。たとえば、元々6ビットがpreamble indexを示しているが、preamble indexを示すために、6ビットが3ビットに変更されてもよい。したがって、節約された3ビットは、TBSインデックス（またはMCSインデックス）を示すために使用されてもよい。4ビットが認可情報内のTBSインデックス（またはMCSインデックス）のフィールドを示す場合、制御チャネルコマンド情報を搬送するダウンリンク制御情報では、節約された3ビットおよび1特定ビット（たとえば、特定ビットは予備ビットであってもよい）は4ビットを構成してもよく、その4ビットは、制御チャネルコマンド情報を搬送するダウンリンク制御情報内のTBSインデックス（またはMCSインデックス）を示すために使用される。1特定ビットは、ダウンリンク認可からアップリンク認可を区別するビット、予備ビット、パディングビット、別のあらかじめ定義されたビット、または新しく追加されたビットであってもよい。図4−aでは、TBS／MCSの有効な状態または有効なインデックスは、制御チャネルが認可情報に使用されることを示すために使用され、TBS／MCSの無効な状態または無効なインデックスは、制御チャネルが制御チャネルコマンド情報に使用されることを示すために使用される。
【０１２５】
図4−bを参照すると、図4−bは、本発明のこの実施形態において、ダウンリンク制御情報が認可情報を搬送するとき、およびダウンリンク制御情報が制御情報コマンドを搬送するときのダウンリンク制御情報の別の組織構造の概略図である。たとえば、preamble indexを示すビットの数およびPRACH mask indexを示すビットの数は減らされてもよく、TBSインデックス（またはMCSインデックス）を示すために節約されたビットが使用される。たとえば、元々6ビットがpreamble indexを示しているが、preamble indexを示すために、6ビットが4ビットに変更される。たとえば、元々4ビットがPRACH mask indexを示し、PRACH mask indexを示すために、4ビットが3ビットに変更される。したがって、節約された3ビットは、TBSインデックス（またはMCSインデックス）を示すために使用されてもよい。4ビットが認可情報内のTBSインデックス（またはMCSインデックス）のフィールドを示す場合、制御チャネルコマンド情報を搬送するダウンリンク制御情報では、節約された3ビットおよび1特定ビットは4ビットを構成してもよく、その4ビットは、制御チャネルコマンド情報を搬送するダウンリンク制御情報内のTBSインデックス（またはMCSインデックス）を示すために使用される。特定ビットは、ダウンリンク認可からアップリンク認可を区別するビット、予備ビット、パディングビット、別のあらかじめ定義されたビット、または新しく追加されたビットであってもよい。図4−bでは、TBS／MCSの有効な状態または有効なインデックスは、制御チャネルが認可情報に使用されることを示すために使用され、TBS／MCSの無効な状態または無効なインデックスは、制御チャネルが制御チャネルコマンド情報に使用されることを示すために使用される。
【０１２６】
当然かつ代替的に、別のフィールドのビット数が減らされてもよく、その結果、TBSインデックス（またはMCSインデックス）を示すために節約されたビットおよび／または特定ビットが使用される。適用可能な場合、制御チャネルコマンド情報を搬送するダウンリンク制御情報内の節約されたビットおよび／または特定ビットのビットサイズが、認可情報内でTBSインデックス（またはMCSインデックス）を示すフィールドのビットサイズと同じであることを保証するために、いかなる方式が使用されてもよい。
【０１２７】
ダウンリンク制御情報が制御チャネルコマンド情報を搬送するか、または認可情報を搬送するかを区別するために、制御チャネルコマンド情報を搬送するダウンリンク制御情報内で示されるTBSインデックス（またはMCSインデックス）は、無効なTBSインデックス（またはMCSインデックス）である必要があり、認可情報を搬送するダウンリンク制御情報内で示されるTBSインデックス（またはMCSインデックス）は、有効なTBSインデックス（またはMCSインデックス）である。無効なTBSインデックス（またはMCSインデックス）は、TBSインデックス（またはMCSインデックス）が有効なTBS（またはMCS）を示すことができないことを指す。たとえば、上述されたように、TBSインデックス（またはMCSインデックス）を示す4ビットの状態が以下の状態のいずれか1つであるとき、その4ビットによって示されるTBSインデックス（またはMCSインデックス）は無効なインデックスである。そうではなく、TBSインデックス（またはMCSインデックス）を示す4ビットの状態が以下の状態のいずれでもないとき、その4ビットによって示されるTBSインデックス（またはMCSインデックス）は有効なインデックスである。4ビットは、以下の5つの情報：1011、1100、1101、1110、または1111のうちの1つであってもよい。
【０１２８】
本発明のこの実施形態では、ダウンリンク制御情報内で示された有効なTBSインデックス（もしくはMCSインデックス）または無効なTBSインデックス（もしくはMCSインデックス）を使用して、ダウンリンク制御情報内で搬送される情報タイプを区別する方式は、ダウンリンク制御情報に含まれる他の様々な情報タイプを区別するために適用されてもよい。ダウンリンク制御情報が様々な情報タイプ（または情報フォーマット）を有する場合、有効なインデックス（もしくは有効な状態）または無効なインデックス（もしくは無効な状態）を使用する方式は、ダウンリンク制御情報内で搬送される情報タイプ（または情報フォーマット）を区別するために使用されてもよい。たとえば、ダウンリンク制御情報は、ページングメッセージのスケジューリング情報を搬送することができ、ダウンリンク制御情報は、システム情報更新指示、地震および台風の警報、商用モバイルアクセスサービス、または拡張アクセス規制のうちの1つまたは複数をさらに搬送することができる。
【０１２９】
この実施形態の方法によれば、UEによる制御チャネルのブラインド検出の複雑さを回避することができ、UEの電力消費を低減することができる。
【０１３０】
本発明のこの実施形態に記載された方法では、ダウンリンク制御情報に含まれるフィールドの順序は変更されてもよいことに留意されたい。本発明における情報組織構造の概略図は一例にすぎない。ダウンリンク制御情報が制御チャネルコマンド情報を搬送するとき、無効なTBSインデックス（またはMCSインデックス）が示される。ダウンリンク制御情報が制御チャネルコマンド情報を搬送するとき、およびダウンリンク制御情報が認可情報を搬送するとき、有効なTBSインデックス（またはMCSインデックス）が示される。
【０１３１】
以下で、本発明の他の実施形態について記載する。ダウンリンク制御情報が制御チャネルコマンド情報を搬送するか、または認可情報を搬送するかを区別するために、無効なTBSインデックス（もしくはMCSインデックス）または有効なTBSインデックス（もしくはMCSインデックス）がダウンリンク制御情報内で示されてもよい。ダウンリンク制御情報内で無効なTBSインデックス（またはMCSインデックス）が示されるとき、ダウンリンク制御情報は制御チャネルコマンド情報を搬送する。ダウンリンク制御情報内で有効なTBSインデックス（またはMCSインデックス）が示されるとき、ダウンリンク制御情報は認可情報を搬送する。
【０１３２】
上述されたように、TBSインデックス（またはMCSインデックス）を示す4ビットの状態が以下の状態、たとえば、1011、1100、1101、1110、または1111のいずれか1つであるとき、その4ビットによって示されるTBSインデックス（またはMCSインデックス）は無効なインデックスである。
【０１３３】
基地局は、ユーザ機器が無効なTBSインデックス（またはMCSインデックス）を知ることを可能にする必要だけがあり、ユーザ機器が無効なTBSインデックス（またはMCSインデックス）に対応する特定ビットの状態を知ることを可能にする必要がないことに留意すべきである。5つの無効なフィールド状態の最後の4つのフィールド状態は、共通の特性を有する。最上位2ビットは11である。TBSインデックス（またはMCSインデックス）のフィールドを示すために使用される最上位2ビットが11であるとき、有効なTBSインデックス（またはMCSインデックス）を示すことは不可能である。したがって、TBSインデックス（またはMCSインデックス）のフィールドを示すために使用される最上位2ビットが11であることをUEが知った場合、UEは、ダウンリンク制御情報が制御チャネルコマンド情報を搬送することを知る。そうではなく、TBSインデックス（またはMCSインデックス）のフィールドを示すために使用される最上位2ビットが11ではないことをUEが知った場合、UEは、ダウンリンク制御情報が認可情報を搬送することを知る。
【０１３４】
図5に示されたように、ダウンリンク制御情報が制御チャネルコマンド情報を搬送するとき、2ビットの状態は11に設定される必要があり、ダウンリンク制御情報内の2ビットの位置は、ダウンリンク制御情報が認可情報を搬送するときのTBSインデックス（またはMCSインデックス）のフィールドを示すために使用される最上位2ビットに対応している。たとえば、第2のフィールドは無効な設定を示し、第2のフィールドは認可区別指示および予備ビットを含む。認可区別指示は1ビットを含み、そのビットの値は1に固定される。予備ビットは1ビットを含み、そのビットの値は1に固定される。TBS／MCSの無効な状態または無効なインデックスは、制御チャネルが制御チャネルコマンドに使用されることを示すために使用される。ダウンリンク制御情報が認可情報を搬送するとき、TBS／MCSを示す最上位2ビットのビット値は11ではあり得ず、TBS／MCSの有効な状態または有効なインデックスは、制御チャネルが認可情報に使用されることを示すために使用される。
【０１３５】
ダウンリンク制御情報を検出した後、UEは、ダウンリンク制御情報内のTBSインデックス（またはMCSインデックス）のフィールドを示すために使用される最上位2ビットのビット位置に対応するビット状態を特定する。ビット状態が11である場合、UEは、ダウンリンク制御情報が制御チャネルコマンド情報を搬送すると考える。ビット状態が11でない場合、UEは、ダウンリンク制御情報が認可情報を搬送すると考える。
【０１３６】
基地局側の場合、基地局から送信されるダウンリンク制御情報が制御チャネルコマンド情報を搬送する場合、ダウンリンク制御情報内のTBSインデックス（またはMCSインデックス）のフィールドを示すために使用される最上位2ビットのビット位置に対応するビット状態は11に設定される。基地局から送信されるダウンリンク制御情報が認可情報を搬送する場合、ダウンリンク制御情報内のTBSインデックス（またはMCSインデックス）のフィールドを示すために使用される最上位2ビットのビット位置に対応するビット状態は11に設定されない。
【０１３７】
ダウンリンク制御情報が認可情報を搬送するとき、ダウンリンク制御情報内の認可区別指示フィールドのビット位置は、あらかじめ定義された固定ビット位置であることに留意されたい。しかしながら、ダウンリンク制御情報が認可情報を搬送するときのダウンリンク制御情報内の認可区別指示フィールドのビット位置は、ダウンリンク制御情報が制御チャネルコマンド情報を搬送するときのダウンリンク制御情報内の認可区別指示フィールドのビット位置とは異なる。
【０１３８】
本発明のこの実施形態では、ダウンリンク制御情報内の任意のフィールドのビットサイズを減少させる必要はなく、無効なTBSインデックス（またはMCSインデックス）を示すために認可区別指示フィールドおよび／または予備ビットが使用される。
【０１３９】
本発明のこの実施形態に記載された方法では、ダウンリンク制御情報に含まれるフィールドの順序は変更されてもよいことに留意されたい。本発明のこの実施形態における概略図は一例にすぎない。しかしながら、ダウンリンク制御情報が制御チャネルコマンド情報を搬送するときのダウンリンク制御情報内の認可区別指示フィールドおよび／または予備ビットのビット位置は、ダウンリンク制御情報が認可情報を搬送するときのダウンリンク制御情報内のTBSインデックス（またはMCSインデックス）のフィールドを示すために使用される上位（または下位）Yビットのビット位置と同じである。Yは、認可区別指示フィールドおよび／または予備ビットに含まれるビットの数である。
【０１４０】
本発明のこの実施形態では、ダウンリンク制御情報が制御チャネルコマンド情報を搬送するか、または認可情報を搬送するかを区別するために、無効なTBS（もしくはMCS）または有効なTBS（もしくはMCS）がダウンリンク制御情報内で示されてもよい。ダウンリンク制御情報内で無効なTBS（またはMCS）が示されるとき、ダウンリンク制御情報は制御チャネルコマンド情報を搬送する。ダウンリンク制御情報内で有効なTBS（またはMCS）が示されるとき、ダウンリンク制御情報は認可情報を搬送する。
【０１４１】
たとえば、表1に示されたように、TBSインデックス（またはMCSインデックス）が10であり、割り振られたリソースブロックの数が6であるとき、TBSインデックス（またはMCSインデックス）によって示されるTBSは存在しないか、または利用不可である。したがって、10であるTBSインデックス（またはMCSインデックス）、および6である割り振られたリソースブロックの数は、ダウンリンク制御情報が制御チャネルコマンド情報を搬送することを示すために使用されてもよい。基地局によって示されたTBSインデックス（またはMCSインデックス）が0から9の範囲のインデックス値であり、割り振られたリソースブロックの数が1から6の範囲の値であるとき、ダウンリンク制御情報は認可情報を搬送する。あるいは、基地局によって示されたTBSインデックス（またはMCSインデックス）が10であり、割り振られたリソースブロックの数が1から5の範囲の値であるとき、ダウンリンク制御情報は認可情報を搬送する。
【０１４２】
別の例を挙げると、認可区別フィールドがアップリンク認可を示すが、リソース割振り後のリソースブロックの数が3から6の範囲の値である場合、ダウンリンク制御情報は制御チャネルコマンド情報を搬送する。別の例を挙げると、認可区別フィールドがアップリンク認可を示すが、リソース割振り後のリソースブロックの数が1から2の範囲の値である場合、ダウンリンク制御情報は認可情報を搬送する。
【０１４３】
別の例を挙げると、認可区別フィールドがダウンリンク認可を示すが、リソース割振り後のリソースブロックの数が1、2、3、または5の値である場合、ダウンリンク制御情報は制御チャネルコマンド情報を搬送する。別の例を挙げると、認可区別フィールドがダウンリンク認可を示すが、リソース割振り後のリソースブロックの数が4または6の値である場合、ダウンリンク制御情報は認可情報を搬送する。
【０１４４】
説明を簡単にするために、前述の方法実施形態は、一連の動作として表されたことに留意されたい。しかしながら、本発明によれば、いくつかのステップが他の順序で、または同時に実施され得るので、本発明は、記載された順序の動作に限定されないことを当業者は諒解するべきである。加えて、当業者は、本明細書に記載された実施形態はすべて好ましい実施形態に属し、動作およびモジュールは必ずしも本発明に必須ではないことも理解するべきである。
【０１４５】
本発明の実施形態における前述の解決策をより良く実装するために、以下では、前述の解決策を実装するための関連装置をさらに提供する。
【０１４６】
図6を参照すると、本発明の実施形態によって提供される基地局600は、情報フォーマット決定モジュール601と、フィールド設定判断モジュール602と、送受信モジュール603とを含む場合がある。
【０１４７】
情報フォーマット決定モジュール601は、ダウンリンク制御情報の制御情報フォーマットを決定するように構成される。
【０１４８】
フィールド設定判断モジュール602は、ダウンリンク制御情報の制御情報フォーマットが第1の制御情報フォーマットであるとき、第1の制御情報フォーマットに対応するダウンリンク制御情報に含まれる第1のフィールドが有効な設定を示すと判断するか、または、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断するように構成される。
【０１４９】
送受信モジュール603は、決定された制御情報フォーマットに対応するダウンリンク制御情報をユーザ機器（UE）に送信するように構成される。
【０１５０】
本発明のいくつかの実施形態では、フィールド設定判断モジュール602によって判断される有効な設定は、有効なビット状態、または有効な第1の情報インデックス、または第1の情報インデックスと第2の情報との有効な組合せを含む。
【０１５１】
フィールド設定判断モジュールによって判断される無効な設定は、無効なビット状態、または無効な第1の情報インデックス、または第1の情報インデックスと第2の情報との無効な組合せを含む。
【０１５２】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【０１５３】
本発明のいくつかの実施形態では、フィールド設定判断モジュール602は、以下の内容：
第1のフィールドに対応するダウンリンク制御情報内の第1のフィールドのビット位置は、第2のフィールドに対応するダウンリンク制御情報内の第2のフィールドのビット位置と同じであること、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であること、または
第1のフィールドに対応するダウンリンク制御情報内の第1のフィールドの下位Xビットのビット位置は、第2のフィールドに対応するダウンリンク制御情報内の第2のフィールドのビット位置と同じであること
を判断するように具体的に構成される。
【０１５４】
本発明のいくつかの実施形態では、フィールド設定判断モジュール602は、以下の内容：
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含むこと、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含むこと
を判断するように具体的に構成される。
【０１５５】
本発明のいくつかの実施形態では、フィールド設定判断モジュール602は、第1の情報インデックスと第2の情報との有効な組合せが、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むことを含むと判断するように具体的に構成される。
【０１５６】
フィールド設定判断モジュールは、第1の情報インデックスと第2の情報との無効な組合せが、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含むと判断するように具体的に構成される。
【０１５７】
本発明のいくつかの実施形態では、フィールド設定判断モジュール602は、有効なビット状態が、1011、1100、1101、1110、および1111を除くすべての4ビット状態値のうちの状態値を含むと判断するように構成され、かつ／または
フィールド設定判断モジュールは、具体的に、無効なビット状態が、1011、1100、1101、1110、もしくは1111のうちの少なくとも1つの状態値を含むと判断するように構成され、かつ／または
フィールド設定判断モジュールは、具体的に、有効な第1の情報インデックスが、そのインデックス番号が0、1、2、3、4、5、6、7、8、9、もしくは10のうちの1つであるインデックスを含むと判断するように構成され、かつ／または
フィールド設定判断モジュールは、具体的に、無効な第1の情報インデックスが、そのインデックス番号が11、12、13、14、もしくは15のうちの1つであるインデックスを含むと判断するように具体的に構成される。
【０１５８】
本発明のいくつかの実施形態では、第1の情報は、トランスポートブロックサイズもしくは変調および符号化方式であり、かつ／または
第1の情報インデックスは、トランスポートブロックサイズインデックスもしくは変調および符号化方式インデックスであり、かつ／または
第2の情報はリソースブロックの数である。
【０１５９】
本発明のいくつかの実施形態では、第1の制御情報フォーマットに対応するダウンリンク制御情報は、認可情報を搬送し、かつ／または
第2の制御情報フォーマットに対応するダウンリンク制御情報は、制御チャネルコマンド情報を搬送する。
【０１６０】
本発明のこの実施形態の説明から、ダウンリンク制御情報の制御情報フォーマットが最初に決定されることが分かる。ダウンリンク制御情報の制御情報フォーマットが第1の制御情報フォーマットであるとき、第1の制御情報フォーマットに対応するダウンリンク制御情報に含まれる第1のフィールドが有効な設定を示すと判断される。あるいは、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断される。決定された制御情報フォーマットに対応するダウンリンク制御情報は、最終的にUEに送信される。設定が有効であるかどうかは、ダウンリンク制御情報に含まれる第1のフィールドまたは第2のフィールドにより、ダウンリンク制御情報の制御情報フォーマットに従って示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【０１６１】
図7を参照すると、本発明の一実施形態によって提供されるユーザ機器700は、検出モジュール701と、第1の取得モジュール702と、第2の取得モジュール703とを含む場合がある。
【０１６２】
検出モジュール701は、基地局によって送信されたダウンリンク制御情報に含まれる第1のフィールド、またはダウンリンク制御情報に含まれる第2のフィールドを検出するように構成される。
【０１６３】
第1の取得モジュール702は、ダウンリンク制御情報に含まれる第1のフィールドが有効な設定を示すと判断すると、第1の制御情報フォーマットに従ってダウンリンク制御情報を取得するように構成される。
【０１６４】
第2の取得モジュール703は、ダウンリンク制御情報に含まれる第2のフィールドが無効な設定を示すと判断すると、第2の制御情報フォーマットに従ってダウンリンク制御情報を取得するように構成される。
【０１６５】
本発明のいくつかの実施形態では、第1の取得モジュール702によって判断される有効な設定は、有効なビット状態、または有効な第1の情報インデックス、または第1の情報インデックスと第2の情報との有効な組合せを含む。
【０１６６】
第2の取得モジュールによって具体的に判断される無効な設定は、無効なビット状態、または無効な第1の情報インデックス、または第1の情報インデックスと第2の情報との無効な組合せを含む。
【０１６７】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【０１６８】
本発明のいくつかの実施形態では、検出モジュール701は、以下の内容：
第1のフィールドに対応するダウンリンク制御情報内の第1のフィールドのビット位置は、第2のフィールドに対応するダウンリンク制御情報内の第2のフィールドのビット位置と同じであること、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であること、または
第1のフィールドに対応するダウンリンク制御情報内の第1のフィールドの下位Xビットのビット位置は、第2のフィールドに対応するダウンリンク制御情報内の第2のフィールドのビット位置と同じであること
を検出するように具体的に構成される。
【０１６９】
本発明のいくつかの実施形態では、検出モジュール701は、以下の内容：
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含むこと、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含むこと
を検出するように具体的に構成される。
【０１７０】
本発明のいくつかの実施形態では、第1の取得モジュール702は、第1の情報インデックスと第2の情報との有効な組合せが、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むこと
を含むと判断するように具体的に構成される。
【０１７１】
第2の取得モジュール703は、第1の情報インデックスと第2の情報との無効な組合せが、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含むと判断するように具体的に構成される。
【０１７２】
本発明のいくつかの実施形態では、第1の取得モジュール702は、有効なビット状態が、1011、1100、1101、1110、および1111を除くすべての4ビット状態値のうちの状態値を含むと判断するように具体的に構成され、かつ／または
第2の取得モジュール703は、無効なビット状態が、1011、1100、1101、1110、もしくは1111のうちの少なくとも1つの状態値を含むと判断するように具体的に構成され、かつ／または
第1の取得モジュール702は、有効な第1の情報インデックスが、そのインデックス番号が0、1、2、3、4、5、6、7、8、9、もしくは10のうちの1つであるインデックスを含むと判断するように具体的に構成され、かつ／または
第2の取得モジュール703は、無効な第1の情報インデックスが、そのインデックス番号が11、12、13、14、もしくは15のうちの1つであるインデックスを含むと判断するように具体的に構成される。
【０１７３】
本発明のいくつかの実施形態では、第1の情報は、トランスポートブロックサイズもしくは変調および符号化方式であり、かつ／または
第1の情報インデックスは、トランスポートブロックサイズインデックスもしくは変調および符号化方式インデックスであり、かつ／または
第2の情報はリソースブロックの数である。
【０１７４】
本発明のいくつかの実施形態では、第1の制御情報フォーマットに対応するダウンリンク制御情報は、認可情報を搬送し、かつ／または
第2の制御情報フォーマットに対応するダウンリンク制御情報は、制御チャネルコマンド情報を搬送する。
【０１７５】
本発明のこの実施形態の説明から、UEが基地局によって送信されたダウンリンク制御情報に含まれる第1のフィールドまたは第2のフィールドを最初に検出することが分かる。ダウンリンク制御情報に含まれる第1のフィールドが有効な設定を示すと判断すると、UEは、第1の制御情報フォーマットに従ってダウンリンク制御情報を取得する。ダウンリンク制御情報に含まれる第2のフィールドが無効な設定を示すと判断すると、UEは、第2の制御情報フォーマットに従ってダウンリンク制御情報を取得する。設定が有効であるかどうかは、ダウンリンク制御情報に含まれる第1のフィールドまたは第2のフィールドにより、ダウンリンク制御情報の制御情報フォーマットに従って指示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【０１７６】
装置のモジュール／ユニット間の情報交換およびその実行プロセスなどの内容は、本発明の方法実施形態と同じアイデアに基づき、本発明の方法実施形態と同じ技術的効果をもたらすことに留意されたい。詳細については、本発明の方法実施形態の説明を参照されたく、本明細書では詳細は再び記載されない。
【０１７７】
本発明の一実施形態は、コンピュータ記憶媒体をさらに提供する。コンピュータ記憶媒体はプログラムを記憶し、プログラムは前述の方法実施形態のうちの一部またはすべてのステップを実行する。
【０１７８】
以下で、本発明の一実施形態によって提供される別の基地局について記載する。図8を参照すると、基地局800は、
受信機801と、送信機802と、プロセッサ803と、メモリ804と
を含む（基地局800内に1つまたは複数のプロセッサ803が存在してもよく、図8では1つのプロセッサが例として使用される）。本発明のいくつかの実施形態では、受信機801、送信機802、プロセッサ803、およびメモリ804は、バスを使用して、または別の方式で接続されてもよい。図8は、バスを使用する接続の一例を示す。
【０１７９】
プロセッサ803は、以下のステップ：
ダウンリンク制御情報の制御情報フォーマットを決定するステップと、
ダウンリンク制御情報の制御情報フォーマットが第1の制御情報フォーマットであるとき、第1の制御情報フォーマットに対応するダウンリンク制御情報に含まれる第1のフィールドが有効な設定を示すと判断するか、または、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断するステップと、
決定された制御情報フォーマットに対応するダウンリンク制御情報をユーザ機器（UE）に送信するステップと
を実施するように構成される。
【０１８０】
本発明のいくつかの実施形態では、プロセッサ803によって判断される有効な設定は、有効なビット状態、または有効な第1の情報インデックス、または第1の情報インデックスと第2の情報との有効な組合せを含む。
【０１８１】
無効な設定は、無効なビット状態、または無効な第1の情報インデックス、または第1の情報インデックスと第2の情報との無効な組合せを含む。
【０１８２】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【０１８３】
本発明のいくつかの実施形態では、プロセッサ803によって判断される、第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【０１８４】
本発明のいくつかの実施形態では、プロセッサ803によって判断される第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含み、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含む。
【０１８５】
本発明のいくつかの実施形態では、プロセッサ803によって判断される第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むことを含む。
【０１８６】
第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含む。
【０１８７】
本発明のいくつかの実施形態では、プロセッサ803によって判断される有効なビット状態は、1011、1100、1101、1110、および1111を除くすべての4ビット状態値のうちの状態値を含み、かつ／または
無効なビット状態は、1011、1100、1101、1110、もしくは1111のうちの少なくとも1つの状態値を含み、かつ／または
有効な第1の情報インデックスは、そのインデックス番号が0、1、2、3、4、5、6、7、8、9、もしくは10のうちの1つであるインデックスを含み、かつ／または
無効な第1の情報インデックスは、そのインデックス番号が11、12、13、14、もしくは15のうちの1つであるインデックスを含む。
【０１８８】
本発明のいくつかの実施形態では、プロセッサ803によって判断される第1の情報は、トランスポートブロックサイズもしくは変調および符号化方式であり、かつ／または
第1の情報インデックスは、トランスポートブロックサイズインデックスもしくは変調および符号化方式インデックスであり、かつ／または
第2の情報はリソースブロックの数である。
【０１８９】
本発明のいくつかの実施形態では、プロセッサ803によって判断され、第1の制御情報フォーマットに対応するダウンリンク制御情報は、認可情報を搬送し、かつ／または
第2の制御情報フォーマットに対応するダウンリンク制御情報は、制御チャネルコマンド情報を搬送する。
【０１９０】
本発明のこの実施形態の説明から、ダウンリンク制御情報の制御情報フォーマットが最初に決定されることが分かる。ダウンリンク制御情報の制御情報フォーマットが第1の制御情報フォーマットであるとき、第1の制御情報フォーマットに対応するダウンリンク制御情報に含まれる第1のフィールドが有効な設定を示すと判断される。あるいは、ダウンリンク制御情報の制御情報フォーマットが第2の制御情報フォーマットであるとき、第2の制御情報フォーマットに対応するダウンリンク制御情報に含まれる第2のフィールドが無効な設定を示すと判断される。決定された制御情報フォーマットに対応するダウンリンク制御情報は、最終的にUEに送信される。設定が有効であるかどうかは、ダウンリンク制御情報に含まれる第1のフィールドまたは第2のフィールドにより、ダウンリンク制御情報の制御情報フォーマットに従って示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【０１９１】
以下で、本発明の一実施形態によって提供される別のユーザ機器について記載する。図9を参照すると、ユーザ機器900は、
受信機901と、送信機902と、プロセッサ903と、メモリ904と
を含む（ユーザ機器900内に1つまたは複数のプロセッサ903が存在してもよく、図9では1つのプロセッサが例として使用される）。本発明のいくつかの実施形態では、受信機901、送信機902、プロセッサ903、およびメモリ904は、バスを使用して、または別の方式で接続されてもよい。図9は、バスを使用する接続の一例を示す。
【０１９２】
プロセッサ903は、以下のステップ：
基地局によって送信されたダウンリンク制御情報に含まれる第1のフィールド、またはダウンリンク制御情報に含まれる第2のフィールドを検出するステップと、
ダウンリンク制御情報に含まれる第1のフィールドが有効な設定を示すと判断されると、第1の制御情報フォーマットに従ってダウンリンク制御情報を取得するステップと、
ダウンリンク制御情報に含まれる第2のフィールドが無効な設定を示すと判断されると、第2の制御情報フォーマットに従ってダウンリンク制御情報を取得するステップと
を実施するように構成される。
【０１９３】
本発明のいくつかの実施形態では、プロセッサ903によって判断される有効な設定は、有効なビット状態、または有効な第1の情報インデックス、または第1の情報インデックスと第2の情報との有効な組合せを含む。
【０１９４】
無効な設定は、無効なビット状態、または無効な第1の情報インデックス、または第1の情報インデックスと第2の情報との無効な組合せを含む。
【０１９５】
有効なビット状態は、有効な第1の情報または有効な第1の情報インデックスを示し、無効なビット状態は、無効な第1の情報または無効な第1の情報インデックスを示し、第1の情報インデックスは第1の情報を示すために使用される。
【０１９６】
本発明のいくつかの実施形態では、プロセッサ903によって判断される、第1のフィールドに対応するダウンリンク制御情報内の第1のフィールドのビット位置は、第2のフィールドに対応するダウンリンク制御情報内の第2のフィールドのビット位置と同じであり、または
第1のフィールドに対応するダウンリンク制御情報内の第1のフィールドの上位Xビットのビット位置は、第2のフィールドに対応するダウンリンク制御情報内の第2のフィールドのビット位置と同じであり、Xはゼロでない自然数であり、または
第1のフィールドに対応するダウンリンク制御情報内の第1のフィールドの下位Xビットのビット位置は、第2のフィールドに対応するダウンリンク制御情報内の第2のフィールドのビット位置と同じである。
【０１９７】
本発明のいくつかの実施形態では、プロセッサ903によって判断される第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、トランスポートブロックサイズフィールド、変調および符号化方式フィールド、狭帯域内リソース割振りフィールド、もしくはパディングビットフィールドのうちの1つもしくは複数を含み、または
第1のフィールドは、トランスポートブロックサイズフィールド、変調および符号化方式フィールド、狭帯域内リソース割振りフィールド、もしくはパディングビットフィールドのうちの1つもしくは複数を含み、第2のフィールドは、認可区別フィールド、予備ビットフィールド、もしくはパディングビットフィールドのうちの1つもしくは複数を含む。
【０１９８】
本発明のいくつかの実施形態では、プロセッサ903によって判断される第1の情報インデックスと第2の情報との有効な組合せは、
ダウンリンク制御情報がダウンリンクデータスケジューリングに使用され、第1の情報インデックスが0から9の固定値であるインデックス番号を含み、第2の情報が4もしくは6の固定値である値を含むこと、および／または
ダウンリンク制御情報がダウンリンクデータスケジューリングに使用され、第1の情報インデックスが10であるインデックス番号を含み、第2の情報が4の値を含むこと、および／または
ダウンリンク制御情報がアップリンクデータスケジューリングに使用され、第1の情報インデックスが0から10の固定値であるインデックス番号を含み、第2の情報が1もしくは2の固定値である値を含むことを含む。
【０１９９】
第1の情報インデックスと第2の情報との無効な組合せは、
第1の情報インデックスが10、11、12、13、14、もしくは15の固定値であるインデックス番号を含み、第2の情報が6の値を含みこと、および／または
ダウンリンク制御情報がダウンリンクデータスケジューリングに使用され、第1の情報インデックスが0から15の固定値であるインデックス番号を含み、第2の情報が1、2、3、もしくは5の固定値である値を含むこと、および／または
ダウンリンク制御情報がアップリンクデータスケジューリングに使用され、第1の情報インデックスが0から15の固定値であるインデックス番号を含み、第2の情報が3、4、5、もしくは6の固定値である値を含むこと
を含む。
【０２００】
本発明のいくつかの実施形態では、プロセッサ903によって判断される有効なビット状態は、1011、1100、1101、1110、および1111を除くすべての4ビット状態値のうちの状態値を含み、かつ／または
無効なビット状態は、1011、1100、1101、1110、もしくは1111のうちの少なくとも1つの状態値を含み、かつ／または
有効な第1の情報インデックスは、そのインデックス番号が0、1、2、3、4、5、6、7、8、9、もしくは10のうちの1つであるインデックスを含み、かつ／または
無効な第1の情報インデックスは、そのインデックス番号が11、12、13、14、もしくは15のうちの1つであるインデックスを含む。
【０２０１】
本発明のいくつかの実施形態では、プロセッサ903によって判断される第1の情報は、トランスポートブロックサイズもしくは変調および符号化方式であり、かつ／または
第1の情報インデックスは、トランスポートブロックサイズインデックスもしくは変調および符号化方式インデックスであり、かつ／または
第2の情報はリソースブロックの数である。
【０２０２】
本発明のいくつかの実施形態では、プロセッサ903によって判断され、第1の制御情報フォーマットに対応するダウンリンク制御情報は、認可情報を搬送し、かつ／または
第2の制御情報フォーマットに対応するダウンリンク制御情報は、制御チャネルコマンド情報を搬送する。
【０２０３】
本発明のこの実施形態の説明から、UEが基地局によって送信されたダウンリンク制御情報に含まれる第1のフィールドまたは第2のフィールドを最初に検出することが分かる。ダウンリンク制御情報に含まれる第1のフィールドが有効な設定を示すと判断すると、UEは、第1の制御情報フォーマットに従ってダウンリンク制御情報を取得する。ダウンリンク制御情報に含まれる第2のフィールドが無効な設定を示すと判断すると、UEは、第2の制御情報フォーマットに従ってダウンリンク制御情報を取得する。設定が有効であるかどうかは、ダウンリンク制御情報に含まれる第1のフィールドまたは第2のフィールドにより、ダウンリンク制御情報の制御情報フォーマットに従って指示されてもよい。したがって、UEは、ダウンリンク制御情報に含まれる第1のフィールドまたは第2のフィールドに従って、基地局が使用した制御情報フォーマットを特定することができ、その結果、UEは、決定された制御情報フォーマットに従ってダウンリンク制御情報を取得することができる。第1のフィールドおよび第2のフィールドは、ダウンリンク制御情報内で搬送される固定フィールドの内容を示すので、制御情報フォーマットを使用して固定フィールドの内容を示すことにより、ダウンリンク制御情報のペイロードサイズが増大せず、カバレージ拡張シナリオにおけるダウンリンク制御情報を効果的に区別することができる。
【０２０４】
加えて、記載された装置実施形態は単なる例示であることに留意されたい。別々の部分として記載されたユニットは、物理的に分かれている場合も、分かれていない場合もあり、ユニットとして表示された部分は、物理ユニットである場合も、そうでない場合もあり、1つの場所に位置する場合があるか、または複数のネットワークユニット上に分散される場合がある。モジュールの一部またはすべては、実施形態の解決策の目的を達成するために、実際の必要に応じて選択されてもよい。加えて、本発明によって提供される装置実施形態の添付図面では、モジュール間の接続関係は、モジュールが互いに、1つまたは複数の通信バスまたは信号ケーブルとして具体的に実装され得る、通信接続を有することを示す。当業者は、創造的な努力なしに本発明の実施形態を理解し実装することができる。
【０２０５】
前述の実装形態の説明に基づいて、当業者は、本発明が必要な汎用ハードウェアに加えてソフトウェアによって、または専用集積回路、専用CPU、専用メモリ、専用コンポーネントなどを含む専用ハードウェアによって実装され得ることを明確に理解することができる。一般に、コンピュータプログラムによって実施することができるいかなる機能も、対応するハードウェアを使用することによって容易に実装することができる。その上、同じ機能を実現するために使用される具体的なハードウェア構造は、様々な形態、たとえば、アナログ回路、デジタル回路、専用回路などの形態であってもよい。しかしながら、本発明に関しては、多くの場合、ソフトウェアプログラムの実装形態がより良い実装形態である。そのような理解に基づいて、本発明の技術的解決策は本質的に、または従来技術に寄与する部分は、ソフトウェア製品の形態で実装されてもよい。ソフトウェア製品は、コンピュータのフロッピーディスク、USBフラッシュドライブ、リムーバブルハードディスク、読出し専用メモリ（ROM、Read-Only Memory）、ランダムアクセスメモリ（RAM、Random Access Memory）、磁気ディスク、または光ディスクなどの可読記憶媒体に記憶され、本発明の実施形態に記載された方法を実施するように、（パーソナルコンピュータ、サーバ、ネットワークデバイスなどであり得る）コンピュータデバイスに命令するためのいくつかの命令を含む。
【０２０６】
前述の実施形態は本発明の技術的解決策を記載するためのものにすぎず、本発明を限定するためのものではない。前述の実施形態を参照して本発明が詳細に記載されたが、当業者は、本発明の実施形態の技術的解決策の趣旨および範囲から逸脱することなく、前述の実施形態に記載された技術的解決策に修正をさらに行うか、またはそれらのいくつかの技術的特徴に同等の置換を行うことができることを理解するべきである。
【符号の説明】
【０２０７】
600  基地局
601  情報フォーマット決定モジュール
602  フィールド設定判断モジュール
603  送受信モジュール
700  ユーザ機器
701  検出モジュール
702  第1の取得モジュール
703  第2の取得モジュール
800  基地局
801  受信機
802  送信機
803  プロセッサ
804  メモリ
900  ユーザ機器
901  受信機
902  送信機
903  プロセッサ
904  メモリ
【図１】
2020167707.tif 000004
【図２】
2020167707.tif 000005
【図３】
2020167707.tif 000006
【図４−ａ】
2020167707.tif 000007
【図４−ｂ】
2020167707.tif 000008
【図５】
2020167707.tif 000009
【図６】
2020167707.tif 000010
【図７】
2020167707.tif 000011
【図８】
2020167707.tif 000012
【図９】
2020167707.tif 000013
【外国語明細書】
2020167707000001.pdf